(57)【要約】  第１の無線アクセス技術（ＲＡＴ）を適用している第１のネットワークノードから、第１のネットワークノードがサーブする第１のセルを示すリソース調整メッセージを受信することと、第２のＲＡＴを適用している第２のネットワークノードで、リソース調整メッセージに基づいて、第２のネットワークノードがサーブする少なくとも１つの第２のセルに対する少なくとも１つのリソース割当てを調整することと、第２のネットワークノードで、少なくとも１つのリソース割当てをアグリゲートして、リソース割当てメッセージとすることと、第１のネットワークノードにリソース割当てメッセージを転送することと、を含む、リソース共有の方法。方法は、異なるＲＡＴを適用しているネットワークノード間のリソース調整を実施する、ネットワークノードの中央ユニットを提供する。【選択図】図６
2021510989.tif 000002
【特許請求の範囲】
【請求項１】
第１の無線アクセス技術（ＲＡＴ）を適用している第１のネットワークノードから、前記第１のネットワークノードがサーブする第１のセルを示すリソース調整メッセージを受信すること（１５１０）と、
第２のＲＡＴを適用している第２のネットワークノードで、前記リソース調整メッセージに基づいて、前記第２のネットワークノードがサーブする少なくとも１つの第２のセルに対する少なくとも１つのリソース割当てを調整すること（１５３０）と、
前記第２のネットワークノードで、前記少なくとも１つのリソース割当てを、前記少なくとも１つの追加のセルと関連付けられた少なくとも１つの追加のリソース割当てとアグリゲートして、リソース割当てメッセージとすること（１５４０）と、
前記第１のネットワークノードに、前記第２のセルおよび前記少なくとも１つの追加のセルの識別情報と、前記第２のセルおよび前記少なくとも１つの追加のセルの対応するリソース割当てとを含む、前記リソース割当てメッセージを転送すること（１５５０）と、を含む、リソース共有の方法（１５００）。
【請求項２】
前記第１および第２のネットワークノードが、中央ユニット（ＣＵ）と、前記ＣＵに結合された少なくとも１つの分散ユニット（ＤＵ）とを備える、請求項１に記載の方法（１５００）。
【請求項３】
前記調整することが、
前記第２のネットワークノードの前記ＣＵで、前記第１のセル、前記少なくとも１つの第２のセル、および前記少なくとも１つの追加のセルの間でリソースを調整する必要を識別することと、
前記第２のネットワークノードの前記ＣＵで、前記第１のセル、前記少なくとも１つの第２のセル、および前記少なくとも１つの追加のセルの間の隣接関係を推論することと、
前記第２のネットワークノードの前記ＣＵで、前記第１のセルに対応する隣接セルを、前記少なくとも１つの第２のセルおよび前記少なくとも１つの追加のセルから検出することと、
前記第２のネットワークノードの前記ＣＵで、前記隣接セルにおける少なくとも１つのＤＵを識別することと、
前記ＣＵから前記隣接セルの前記少なくとも１つのＤＵに、前記リソース調整メッセージを転送することと、
前記隣接セルの前記少なくとも１つのＤＵで、前記リソース調整メッセージに基づいて前記少なくとも１つのリソース割当てを計算することと、
前記隣接セルの前記少なくとも１つのＤＵから、前記少なくとも１つのリソース割当てを受信することと、を更に含む、請求項２に記載の方法（１５００）。
【請求項４】
前記第１のセルが、前記少なくとも１つの第２のセルもしくは前記少なくとも１つの追加のセルと少なくとも１つのリソースを共有するか、または前記少なくとも１つの第２のセルもしくは前記少なくとも１つの追加のセルによって使用される少なくとも１つのリソースに隣接する少なくとも１つのリソースを使用する、請求項１から３のいずれか一項に記載の方法（１５００）。
【請求項５】
前記リソース調整メッセージおよび前記リソース割当てメッセージがビットマップとして表され、前記ビットマップの各ビットが時間周波数リソースに対応する、請求項１から４のいずれか一項に記載の方法（１５００）。
【請求項６】
前記少なくとも１つのリソース割当ておよび前記少なくとも１つの追加のリソース割当てが、前記第２のネットワークノードがサーブするユーザ機器（ＵＥ）をサーブする設定を示す、請求項１から５のいずれか一項に記載の方法（１５００）。
【請求項７】
前記第２のネットワークノードにおいて前記第１のネットワークノードから、前記第１のセルにおける修正されたリソース割当てを示す修正メッセージを受信することを更に含む、請求項１から６のいずれか一項に記載の方法（１５００）。
【請求項８】
前記第２のネットワークノードで、前記第２のネットワークノードにおける前記少なくとも１つの第２のセルおよび前記少なくとも１つの追加のセルのどちらかが前記第１のセルに対する直接隣接セルであるか否かを判定することと、
前記第２のネットワークノードで、前記第２のネットワークにおける前記少なくとも１つの第２のセルおよび前記少なくとも１つの追加のセルのどちらかが前記第１のセルに対する前記直接隣接セルである場合、前記第２のネットワークノードによって使用されるリソースを分割することと、を更に備える、請求項１から７のいずれか一項に記載の方法（１５００）。
【請求項９】
前記隣接関係が、前記第２のネットワークノードで設定された以前の隣接関係であるか、またはＵＥ測定によって得られる、請求項３に記載の方法（１５００）。
【請求項１０】
前記第１のＲＡＴがロングタームエボリューション（ＬＴＥ）であり、前記第２のＲＡＴが新無線（ＮＲ）である、請求項１から９のいずれか一項に記載の方法（１５００）。
【請求項１１】
前記第１および第２のＲＡＴがＮＲである、請求項１から１０のいずれか一項に記載の方法（１５００）。
【請求項１２】
少なくとも１つの処理回路構成（５７０）と、
プロセッサ実行可能命令を格納する少なくとも１つの記憶装置とを備え、前記命令が、前記処理回路構成によって実行されると、第１の無線アクセス技術（ＲＡＴ）を適用しているネットワークノード（５６０）に、
第２のＲＡＴを適用している第１のネットワークノード（５６０）から、前記第１のネットワークノード（５６０）がサーブする第１のセルを示すリソース調整メッセージを受信させ（１５１０）、
前記リソース調整メッセージに基づいて、前記ネットワークノード（５６０）がサーブする少なくとも１つの第２のセルに対する少なくとも１つのリソース割当てを調整させ（１５３０）、
前記少なくとも１つのリソース割当てを、前記少なくとも１つの追加のセルと関連付けられた少なくとも１つの追加のリソース割当てとアグリゲートさせて、リソース割当てメッセージとし（１５４０）、
前記第１のネットワークノード（５６０）に、前記第２のセルおよび前記少なくとも１つの追加のセルの識別情報と、前記第２のセルおよび前記少なくとも１つの追加のセルの対応するリソース割当てとを含む、前記リソース割当てメッセージを転送させる（１５５０）、リソース共有のためのネットワークノード（５６０）。
【請求項１３】
前記ネットワークノードおよび前記第１のネットワークノードが、中央ユニット（ＣＵ）と、前記ＣＵに結合された少なくとも１つの分散ユニット（ＤＵ）とを備える、請求項１２に記載のネットワークノード（５６０）。
【請求項１４】
前記調整するステップが、
前記ネットワークノードの前記ＣＵで、前記第１のセル、前記少なくとも１つの第２のセル、および前記少なくとも１つの追加のセルの間でリソースを調整する必要を識別することと、
前記ネットワークノードの前記ＣＵで、前記第１のセル、前記少なくとも１つの第２のセル、および前記少なくとも１つの追加のセルの間の隣接関係を推論することと、
前記ネットワークノードの前記ＣＵで、前記第１のセルに対応する隣接セルを、前記少なくとも１つの第２のセルおよび前記少なくとも１つの追加のセルから検出することと、
前記ネットワークノードの前記ＣＵで、前記隣接セルにおける少なくとも１つのＤＵを識別することと、
前記ＣＵから前記隣接セルの前記少なくとも１つのＤＵに、前記リソース調整メッセージを転送することと、
前記隣接セルの前記少なくとも１つのＤＵで、前記リソース調整メッセージに基づいて前記少なくとも１つのリソース割当てを計算することと、
前記ＣＵにおける前記隣接セルの前記少なくとも１つのＤＵから、前記少なくとも１つのリソース割当てを受信することと、を更に含む、請求項１３に記載のネットワークノード（５６０）。
【請求項１５】
前記第１のセルが、前記少なくとも１つの第２のセルもしくは前記少なくとも１つの追加のセルと少なくとも１つのリソースを共有するか、または前記少なくとも１つの第２のセルもしくは前記少なくとも１つの追加のセルによって使用される少なくとも１つのリソースに隣接する少なくとも１つのリソースを使用する、請求項１２から１４のいずれか一項に記載のネットワークノード（５６０）。
【請求項１６】
前記リソース調整メッセージおよび前記リソース割当てメッセージがビットマップとして表され、前記ビットマップの各ビットが時間周波数リソースに対応する、請求項１２から１５のいずれか一項に記載のネットワークノード（５６０）。
【請求項１７】
前記少なくとも１つのリソース割当ておよび前記少なくとも１つの追加のリソース割当てが、前記ネットワークノードがサーブするユーザ機器をサーブする設定を示す、請求項１２から１６のいずれか一項に記載のネットワークノード（５６０）。
【請求項１８】
前記命令が更に、前記ネットワークノード（５６０）に、前記第１のネットワークノードから、前記第１のセルにおける修正されたリソース割当てを示す修正メッセージを受信させる、請求項１２から１７のいずれか一項に記載のネットワークノード（５６０）。
【請求項１９】
前記命令が更に、前記ネットワークノード（５６０）に、
前記ネットワークにおける前記少なくとも１つの第２のセルおよび前記少なくとも１つの追加のセルのどちらかが前記第１のセルに対する直接隣接セルであるか否かを判定させ、
前記ネットワークにおける前記少なくとも１つの第２のセルおよび前記少なくとも１つの追加のセルのどちらかが前記第１のセルに対する前記直接隣接セルである場合、前記ネットワークによって使用されるリソースを分割させる、請求項１２から１８のいずれか一項に記載のネットワークノード（５６０）。
【請求項２０】
前記隣接関係が、前記ネットワークノード（５６０）で設定された以前の隣接関係であるか、またはＵＥ測定によって得られる、請求項１４に記載のネットワークノード（５６０）。
【請求項２１】
前記第１のＲＡＴが新無線（ＮＲ）であり、前記第２のＲＡＴがロングタームエボリューション（ＬＴＥ）である、請求項１２から２０のいずれか一項に記載のネットワークノード（５６０）。
【請求項２２】
前記第１および第２のＲＡＴがＮＲである、請求項１２から２１のいずれか一項に記載のネットワークノード（５６０）。
【請求項２３】
第１の無線アクセス技術（ＲＡＴ）を適用する第１のネットワークノード（５６０）であって、第２のネットワークノード（５６０）に、前記第１のネットワークノード（５６０）がサーブする第１のセルを示すリソース調整メッセージを伝送するように構成された少なくとも１つの処理回路構成（５７０）を備える、第１のネットワークノードと、
第２のＲＡＴを適用する第２のネットワークノード（５６０）であって、
前記第１のネットワークノード（５６０）から、前記リソース調整メッセージを受信し（１５１０）、
前記リソース調整メッセージに基づいて、前記第２のネットワークノード（５６０）がサーブする少なくとも１つの第２のセルに対する少なくとも１つのリソース割当てを調整し（１５３０）、
前記少なくとも１つのリソース割当てを、前記少なくとも１つの追加のセルと関連付けられた少なくとも１つの追加のリソース割当てとアグリゲートして、リソース割当てメッセージとし（１５４０）、
前記第１のネットワークノード（５６０）に、前記第２のセルおよび前記少なくとも１つの追加のセルの識別情報と、前記第２のセルおよび前記少なくとも１つの追加のセルの対応するリソース割当てとを含む、前記リソース割当てメッセージを転送する（１５５０）ように構成された少なくとも１つの処理回路構成（５７０）を備える、第２のネットワークノードと、を備え、
前記第１のネットワークノード（５６０）が、
前記第１のネットワークノード（５６０）から、前記リソース調整メッセージを受信し（１５１０）、
前記リソース割当てメッセージに基づいて、前記第２のネットワークノード（５６０）によって割り当てられている少なくとも１つのリソースを識別し、
前記第２のネットワークノード（５６０）によって割り当てられている前記少なくとも１つのリソースに基づいて、前記第１のセルにおけるリソース割当てを修正し、
前記第２のネットワークノード（５６０）に、前記第１のセルにおける前記リソース割当ての修正を示す修正メッセージを伝送するように更に設定された、
リソース共有のための通信システム。
【発明の詳細な説明】
【技術分野】
【０００１】
特定の実施形態は、リソース共有の分野に関し、より具体的には、ＲＡＴ間リソース共有の方法、装置、およびシステムに関する。
【背景技術】
【０００２】
現在、５Ｇ無線アクセスネットワーク（ＲＡＮ）アーキテクチャは、ＮＧインターフェースを通して５Ｇコアネットワーク（５ＧＣ）に接続された一連のｇＮＢを備える。図１は、ＴＳ３８．４０１に記載されている現在の５Ｇ  ＲＡＮアーキテクチャを示している。ＮＧアーキテクチャの特性は次のように更に記載されている。（１）ＮＧ−ＲＡＮは、ＮＧを通して５ＧＣに接続された一連のｇＮＢから成る。（２）ｇＮＢは、周波数分割復信（ＦＤＤ）モード、時分割復信（ＴＤＤ）モード、またはデュアルモード動作に対応することができる。（３）ｇＮＢはＸｎを通して相互接続することができる。（４）ｇＮＢはｇＮＢ中央ユニット（ＣＵ）およびｇＮＢ分散ユニット（ＤＵ）から成ることができる。（５）ｇＮＢ−ＣＵおよびｇＮＢ−ＤＵはＦ１論理インターフェースを介して接続される。ならびに、（６）１つのｇＮＢ−ＤＵは１つのｇＮＢ−ＣＵのみに接続される。
【０００３】
ＮＧ、Ｘｎ、およびＦ１は論理インターフェースである。ＮＧ−ＲＡＮの場合、ｇＮＢ−ＣＵおよびｇＮＢ−ＤＵから成るｇＮＢに対するＮＧおよびＸｎ−ＣインターフェースはｇＮＢ−ＣＵで終端する。Ｅ−ＵＴＲＡＮ新無線デュアルコネクティビティ（ＥＮ−ＤＣ）の場合、ｇＮＢ−ＣＵおよびｇＮＢ−ＤＵから成るｇＮＢに対するＳ１−ＵおよびＸ２−Ｃインターフェースは、ｇＮＢ−ＣＵで終端する。ｇＮＢ−ＣＵおよび接続されたｇＮＢ−ＤＵは、他のｇＮＢ、およびｇＮＢとしての５ＧＣのみが認識できる。
【０００４】
ＮＧ−ＲＡＮは、無線ネットワークレイヤ（ＲＮＬ）およびトランスポートネットワークレイヤ（ＴＮＬ）に階層化される。ＮＧ−ＲＡＮアーキテクチャ、即ちＮＧ−ＲＡＮ論理ノード、およびそれらの間のインターフェースは、ＲＮＬの一部として定義される。各ＮＧ−ＲＡＮインターフェース（ＮＧ、Ｘｎ、Ｆ１）に対して、関連するＴＮＬプロトコルおよび機能性が指定される。ＴＮＬは、ユーザプレーントランスポートおよびシグナリングトランスポートのサービスを提供する。ＮＧ−Ｆｌｅｘ設定では、各ｇＮＢがＡＭＦ領域内の全てのＡＭＦに接続される。ＡＭＦ領域は、３ＧＰＰ  ＴＳ  ２３．５０１で定義されている。
【０００５】
将来の展開では、２つの異なる無線アクセス技術（ＲＡＴ）の基地局は、２つの基地局（即ち、ＲＡＴ）のカバレッジエリアが完全にまたは部分的に重なり合う、完全にまたは部分的に重なり合う周波数帯にわたって送信する、共有スペクトルシナリオで展開されてもよい。リソースを共有する基地局、ならびに一般の基地局は、異なる内部論理構造を有してもよい。５Ｇ  ＲＡＮを非限定例とすると、基地局はモノリシックであってもよい。例えば、図１の左側に示されるように、ｇＮＢはモノリシックである。別の例では、基地局は、同一の場所に配置されず、また論理インターフェースを介して、例えば図１の右側に示されるような５Ｇ  ＲＡＮのＦ１インターフェースを介して接続された、ＣＵおよびＤＵから成ってもよい。５Ｇ  ＲＡＮの場合、１つのＤＵが１つのＣＵのみに接続されてもよく、一方で１つのＣＵが複数のＤＵに接続されてもよい。
【０００６】
図２は、サブキャリア間隔が１５ｋＨｚである、ＬＴＥダウンリンク物理的リソースを示している。ＬＴＥおよびＮＲの物理レイヤに関して、ＬＴＥおよびＮＲの物理レイヤ送信は、ダウンリンクの直交周波数分割多重（ＯＦＤＭ）を使用する。ＬＴＥは、アップリンクでは離散的フーリエ変換（ＤＦＴ）拡散ＯＦＤＭを常に使用するが、ＮＲではＯＦＤＭまたはＤＦＴ拡散ＯＤＦＭのどちらかに設定可能であってもよい。したがって、基本的なＬＴＥおよびＮＲ物理的リソースは、図２に示されるように、各リソース要素が１つのＯＦＤＭシンボル間隔中の１つのサブキャリアに相当する、時間周波数グリッドとして見ることができる。
【０００７】
図３は、ＬＴＥ時間領域フレーム構造を示している。時間領域では、ＬＴＥダウンリンク送信は１０ｍｓの無線フレームに組織化され、各無線フレームは、図３に示されるように、１ｍｓの均等サイズのサブフレーム１０個から成る。サブフレームは２つのスロットに分割され、各スロットは０．５ｍｓの持続時間である。
【０００８】
ＬＴＥのリソース割当ては、リソースブロック（ＲＢ）に関して説明され、ＲＢは、時間領域の１スロットおよび周波数領域の１２の近接する１５ｋＨｚのサブキャリアに相当する。２つの時間的に連続したＲＢは、ＲＢペアまたは物理的リソースブロック（ＰＲＢ）を表し、スケジューリングが行われる時間間隔に相当する。
【０００９】
図４は、ＮＲ時間領域構造を示している。時間領域では、ＮＲダウンリンク送信は１０ｍｓの無線フレームに組織化され、各無線フレームは、図４に示されるように、１ｍｓの均等サイズのサブフレーム１０個から成る。サブフレームは、１、２、４、８、または１６のスロットに分割され、各スロットは設定可能な持続時間である。
【００１０】
ＮＲのリソース割当ては、ＲＢに関して説明され、ＲＢは、時間領域の１スロットおよび周波数領域の１２の近接するサブキャリアに相当し、サブキャリア帯域幅は設定可能である。
【００１１】
ＮＲでは、ＵＥがサーブされる帯域幅はＵＥ特異的であってもよい。したがって、異なる最大帯域幅を受け入れる能力を有する２つのＵＥには、同じキャリアバンドが依然としてサーブされていてもよい。ＵＥが現在サーブされている帯域幅の部分である、帯域幅部分（ＢＷＰ）という用語が導入される。例えば、キャリアは１００ＭＨｚの帯域幅を有してもよいが、より単純なＵＥは１５ＭＨｚのＢＷＰでのみ動作し、別のＵＥは１００ＭＨｚのＢＷＰ全体を使用する。また、所与のＵＥが、狭いＢＷＰ、例えば１５ＭＨｚ、および広いＢＷＰ、例えば１００ＭＨｚで同時に設定され、一度にその設定されたＢＷＰの１つのみがアクティブであることも可能である。これにより、大きいデータ転送が不要なとき、ＵＥが電池を節約することが可能になるが、多量のデータを送信または受信する必要がある場合、大きいＢＷＰに迅速に切り替えてもよい。
【００１２】
ＮＲはＯＦＤＭ波形に基づく。しかしながら、固定のサブキャリア間隔１５ｋＨｚおよび長さ１ｍｓのサブフレームを使用するＬＴＥと比較して、パラメータμを使用して、所与の帯域幅部分に対してサブキャリア間隔Δｆ＝２μ・１５［ｋＨｚ］が設定される、スケールドニューメロロジー（scaled numerology）が使用される。次の表１は、ＮＲリリース１４において対応しているサブキャリア間隔を示している。
2021510989.tif 000003
【００１３】
サブキャリア間隔が増加すると、ＯＦＤＭシンボル時間が比例的に減少する。
【００１４】
ＬＴＥでは、サブフレームは１ｍｓ長さであり、物理的ダウンリンク共有チャネル（ＰＤＳＣＨ）または物理的アップリンク共有チャネル（ＰＵＳＣＨ）を送信するのに使用されるが、即ちこれは、データトランスポートブロックの送信時間間隔（ＴＴＩ）であり、ＮＲの対応する基準は、ニューメロロジーμを用いて換算するスロットである。したがって、ＯＦＤＭスロット時間はＴ＝２−μ・１［ｍｓ］であり、１スロット当たりのシンボルの数は表２によって与えられる。
2021510989.tif 000004
【００１５】
表２では、μ＝０の場合、つまり、サブキャリア間隔が１５ｋＨｚのとき、フレームは１０個のスロットを有し、これはＬＴＥのフレームが１０個のサブフレームを有するのと同じであるが、μ＝３の場合は、表１に従って、サブキャリア間隔が１２０ｋＨｚのとき、１フレーム当たり、即ち１０ｍｓ当たり、８０個のスロットがあることも理解され得る。ある意味では、ＮＲのスロットはＬＴＥのサブフレームと同等である。しかしながら、ＮＲは、ニューメロロジーにかかわらず、常に１ｍｓであるサブフレームも有する。ただし、サブフレームは、１ｍｓ当たり１回の「クロック」としての役割を果たす点を除いて、ＮＲ物理レイヤにおける特定の関連性を何も有さないが、高次レイヤの設定には有用なことがある。それに加えて、ＮＲは、常に１０ｍｓであるフレームを有する。
【００１６】
要約すると、フレームおよびサブフレームは常に、１０ｍｓおよび１ｍｓである固定の持続時間を有するが、スロットは、Ｔ＝２−μ・１［ｍｓ］にしたがったニューメロロジーに応じた持続時間を有する。
【００１７】
更に、ＮＲはＬＴＥよりも大きい最大キャリアまたはＢＷＰ帯域幅に対応し、それは部分的には、サブキャリア間隔を１５ｋＨｚ超過に変更することによって達成されるが、部分的には、より多数のサブキャリアが使用されてもよく、最大３３００のサブキャリアがＮＲに対応するという事実にもよる。つまり、キャリアは、１２個のサブキャリアをそれぞれ備える最大２７５の物理的リソースを有することができることを意味する。
【００１８】
それぞれのニューメロロジーおよびキャリアに関して、
2021510989.tif 000005
個のサブキャリアおよび
2021510989.tif 000006
個のＯＦＤＭシンボルのリソースグリッドが定義され、
2021510989.tif 000007
は表３によって与えられ、ｘはダウンリンクおよびアップリンクそれぞれに対するＤＬまたはＵＬである。同期信号を送信する必要があり、それらの信号は２０ＲＢの帯域幅を有するという事実により、最小帯域幅もあることが注目される。
2021510989.tif 000008
【００１９】
ユーザはここで、表２および３を使用し、２７５ＲＢの最大帯域幅を仮定することによって、無線フレーム１つ当たりの最大数またはＲＢを計算してもよい。例えば、μ＝０の場合、無線フレーム１つ当たり１０×２７５＝２７５０ＲＢが存在するが、μ＝３の場合、無線フレーム１つ当たり最大８０×２７５＝２２０００ＲＢが存在する。
【００２０】
今日の時点で、ＲＡＴ間無線リソース共有の既存の解決策は存在しない。更に、関与する基地局の内部論理構造は、スペクトル共有の解決策を設計する際に考慮されていない。
【発明の概要】
【００２１】
上述の課題に既存の解決策で対処するため、異なるＲＡＴを適用しているネットワークノードに対するリソース割当てを調整することによる、ＲＡＴ間リソース共有の方法、ネットワークノード、およびシステムが開示される。本開示は、ネットワークノードの中央ユニット（ＣＵ）に、ＬＴＥを適用しているネットワークノードによって使用されるリソースと、ＮＲを適用しているネットワークノードの分散ユニットによって使用されるリソースとを協調させる、解決策を実現する。それに加えて、ＣＵは、ネットワークノードの分散ユニットから受信したリソース割当てをアグリゲートして１つの単一のメッセージとし、他のネットワークノードによって使用されるリソースと重なり合うかまたはそれに隣接するリソースを使用して、メッセージを別のネットワークノードに伝送してもよい。
【００２２】
いくつかの実施形態を本開示に記載する。一実施形態によれば、リソース共有の方法は、第１の無線アクセス技術（ＲＡＴ）を適用している第１のネットワークノードから、第１のネットワークノードがサーブする第１のセルを示すリソース調整メッセージを受信することを含む。方法は、それに加えて、第２のＲＡＴを適用している第２のネットワークノードで、リソース調整メッセージに基づいて、第２のネットワークノードがサーブする少なくとも１つの第２のセルに対する少なくとも１つのリソース割当てを調整することを含む。方法は更に、第２のネットワークノードで、少なくとも１つのリソース割当てを、少なくとも１つの追加のセルと関連付けられた少なくとも１つの追加のリソース割当てとアグリゲートして、リソース割当てメッセージとすることを含む。方法は更に、第１のネットワークノードにリソース割当てメッセージを転送することを含む。リソース割当てメッセージは、第２のセルおよび少なくとも１つの追加のセルの識別情報と、第２のセルおよび少なくとも１つの追加のセルの対応するリソース割当てとを含む。
【００２３】
一実施形態では、第１のＲＡＴはロングタームエボリューション（ＬＴＥ）であり、第２のＲＡＴは新無線（ＮＲ）である。一実施形態では、第１および第２のＲＡＴはＮＲである。一実施形態では、第１および第２のネットワークノードは、中央ユニット（ＣＵ）と、ＣＵに結合された少なくとも１つの分散ユニット（ＤＵ）とを備える。
【００２４】
一実施形態では、調整は更に、第２のネットワークノードのＣＵで、第１のセル、少なくとも１つの第２のセル、および少なくとも１つの追加のセルの間でリソースを調整する必要を識別することと、第２のネットワークノードのＣＵで、第１のセル、少なくとも１つの第２のセル、および少なくとも１つの追加のセルの間の隣接関係を推論することとを含む。調整はまた、第２のネットワークノードのＣＵで、少なくとも１つの第２のセルおよび少なくとも１つの追加のセルからの第１のセルに相当する隣接セルを検出することと、第２のネットワークノードのＣＵで、隣接セルにおける少なくとも１つのＤＵを識別し、ＣＵから隣接セルの少なくとも１つのＤＵに、リソース調整メッセージを転送することとを含む。調整はまた、隣接セルの少なくとも１つのＤＵで、リソース調整メッセージに基づいて少なくとも１つのリソース割当てを計算することと、ＣＵにおいて隣接セルの少なくとも１つのＤＵから、少なくとも１つのリソース割当てを受信することとを含む。一実施形態では、隣接関係は、第２のネットワークノードで設定された以前の隣接関係であるか、またはＵＥ測定によって得られる。
【００２５】
一実施形態では、リソース調整メッセージは、第１のセルが、少なくとも１つのリソースを少なくとも１つの第２のセルまたは少なくとも１つの追加のセルと共有することを示す。一実施形態では、リソース調整メッセージは、第１のセルが、少なくとも１つの第２のセルまたは少なくとも１つの追加のセルによって使用される少なくとも１つのリソースに隣接する少なくとも１つのリソースを使用することを示す。
【００２６】
一実施形態では、リソース調整メッセージおよびリソース割当てメッセージはビットマップとして表され、ビットマップの各ビットは時間周波数リソースに相当する。
【００２７】
一実施形態では、リソース割当ておよび／または追加のリソース割当ては、第２のネットワークノードがサーブするユーザ機器（ＵＥ）にサーブするための設定を示す。
【００２８】
一実施形態では、方法は更に、第２のネットワークノードにおいて第１のネットワークノードから、第１のセルにおける修正されたリソース割当てを示す修正メッセージを受信することを含む。
【００２９】
一実施形態では、方法は更に、第２のネットワークノードで、第２のネットワークノードにおける少なくとも１つの第２のセルおよび少なくとも１つの追加のセルのどちらかが第１のセルに対する直接隣接セルか否かを判定することと、第２のネットワークノードで、第２のネットワークにおける少なくとも１つの第２のセルおよび少なくとも１つの追加のセルのどちらかが第１のセルに対する直接隣接セルである場合、第２のネットワークノードによって使用されるリソースを分割することとを含む。
【００３０】
別の実施形態によれば、リソース共有のためのネットワークノードは、少なくとも１つの処理回路構成と、プロセッサ実行可能命令を格納する少なくとも１つの記憶装置とを備え、命令は、処理回路構成によって実行されると、第１のＲＡＴを適用しているネットワークノードに、第２のＲＡＴを適用している第１のネットワークノードから、第１のネットワークノードがサーブする第１のセルを示すリソース調整メッセージを受信させ、リソース調整メッセージに基づいて、ネットワークノードがサーブする少なくとも１つの第２のセルに対する少なくとも１つのリソース割当てを調整させ、少なくとも１つのリソース割当てを、少なくとも１つの追加のセルと関連付けられた少なくとも１つの追加のリソース割当てとアグリゲートさせて、リソース割当てメッセージとし、第１のネットワークノードに、第２のセルおよび少なくとも１つの追加のセルの識別情報と第２のセルおよび少なくとも１つの追加のセルの対応するリソース割当てとを含む、リソース割当てメッセージを転送させる。
【００３１】
更に別の実施形態によれば、リソース共有のための通信システムは、第１のネットワークノードと第２のネットワークノードとを備える。第１のＲＡＴを適用している第１のネットワークノードは、第２のネットワークノードに、第１のネットワークノードがサーブする第１のセルを示すリソース調整メッセージを伝送するように設定された、少なくとも１つの処理回路構成を備える。第２のＲＡＴを適用している第２のネットワークノードは、第１のネットワークノードから、リソース調整メッセージを受信し、リソース調整メッセージに基づいて、第２のネットワークノードがサーブする少なくとも１つの第２のセルに対する少なくとも１つのリソース割当てを調整し、少なくとも１つのリソース割当てを、少なくとも１つの追加のセルと関連付けられた少なくとも１つの追加のリソース割当てとアグリゲートして、リソース割当てメッセージとし、第１のネットワークノードに、第２のセルおよび少なくとも１つの追加のセルの識別情報と第２のセルおよび少なくとも１つの追加のセルの対応するリソース割当てとを含む、リソース割当てメッセージを転送するように設定された、少なくとも１つの処理回路構成を備える。第１のネットワークノードは更に、第２のネットワークノードから、リソース割当てメッセージを受信し、リソース割当てメッセージに基づいて、第２のネットワークノードによって割り当てられている少なくとも１つのリソースを識別し、第２のネットワークノードによって割り当てられている少なくとも１つのリソースに基づいて、第１のセルにおけるリソース割当てを修正し、第２のネットワークノードに、第１のセルにおけるリソース割当ての修正を示す修正メッセージを伝送するように設定される。
【００３２】
特定の実施形態は、以下の技術的利点の１つまたは複数を提供してもよい。本開示で開示する方法は、ＲＡＴを適用している隣接ネットワークノードから、隣接ネットワークノードとは異なるＲＡＴを適用しているネットワークノードの多数の分散ユニットへの、リソース割当て情報の有効な交換を可能にしてもよい。別の利点は、方法が、ネットワークノードの中央ユニットに、隣接ネットワークノードに対するリソース割当てを調整する能力を提供し、中央ユニットに結合された分散ユニットに、上記ネットワークノードがサーブするセル内のユーザ機器に対する潜在的な干渉を回避する能力を提供することである。
【００３３】
以下の詳細な説明および図面に照らして、他の様々な特徴および利点が当業者には明白となるであろう。特定の実施形態は、上記に列挙した利点を１つも有さないか、そのいくつか、または全てを有してもよい。
【００３４】
本明細書に組み込まれその一部を形成する添付図面は、本開示の複数の態様を例示し、明細書と合わせて本開示の原理を説明する役割を果たす。
【図面の簡単な説明】
【００３５】
【図１】５Ｇ  ＲＡＮのアーキテクチャ全体の一例を示す図である。
【図２】ＬＴＥダウンリンク物理的リソースの一例を示す図である。
【図３】ＬＴＥ時間領域フレーム構造の一例を示す図である。
【図４】ＮＲ時間領域フレーム構造の一例を示す図である。
【図５】特定の実施形態による、無線ネットワークの一例を示す図である。
【図６】特定の実施形態による、ＲＡＴ間リソース割当ての一例を示す図である。
【図７】特定の実施形態による、ユーザ機器の一例を示す図である。
【図８】いくつかの実施形態による、仮想化環境の一例を示す図である。
【図９】特定の実施形態による、中間ネットワークを介してホストコンピュータに接続される電気通信ネットワークの一例を示す図である。
【図１０】特定の実施形態による、部分的に無線接続を通じて基地局を介してユーザ機器と通信しているホストコンピュータの一例を示す図である。
【図１１】特定の実施形態による、ホストコンピュータ、基地局、およびユーザ機器を含む通信システムにおいて実現される方法の一例を示す図である。
【図１２】特定の実施形態による、ホストコンピュータ、基地局、およびユーザ機器を含む通信システムにおいて実現される方法の別の例を示す図である。
【図１３】特定の実施形態による、ホストコンピュータ、基地局、およびユーザ機器を含む通信システムにおいて実現される、別の更なる例示の方法を示す図である。
【図１４】特定の実施形態による、ホストコンピュータ、基地局、およびユーザ機器を含む通信システムにおいて実現される、更に別の例示の方法を示す図である。
【図１５】特定の実施形態による、ネットワークノードにおける方法を示すフロー図である。
【図１６】特定の実施形態による、例示のネットワークノードを示す概略ブロック図である。
【発明を実施するための形態】
【００３６】
本開示の特定の実施形態は、異なるＲＡＴを適用しているネットワークノード間のリソース割当てを調整する方法を提案する。特定の実施形態は、中央ユニット（ＣＵ）のネットワークノードとは異なるＲＡＴを適用している隣接ネットワークノードから、リソース調整メッセージを受信し、中央ユニットに結合された分散ユニット（ＤＵ）から受信した複数のリソース割当てをアグリゲートして、１つの単一のリソース割当てメッセージとし、リソース割当てメッセージを隣接ネットワークノードに返信する、ネットワークノードの中央ユニットを提供する。したがって、隣接ネットワークノードは、ＤＵと同じリソースを同時に利用することを回避するため、そのリソース割当てを維持または修正してもよい。それに加えて、本開示で開示するＣＵは更に、リソース割当てをＤＵから受信する際に、１つを超えるＤＵが同じリソースの使用を意図していることをＣＵが認識すると、リソースを分割してもよい。
【００３７】
特定の実施形態は、ＣＵが論理的インターフェースを介して多数のＤＵに接続される、ＣＵ−ＤＵ基地局アーキテクチャにおける、ＲＡＴ間スペクトル共有を示している。非限定例の場合、ＣＵは５ＧＲＡＮ  ｇＮＢ−ＣＵであってもよく、ＤＵはｇＮＢ−ＤＵであってもよい。特定の実施形態では、ＣＵおよび多数の連結されたＤＵとから成る基地局は、分散基地局（ＤＢＳ）と呼ばれてもよい。
【００３８】
本開示で開示する方法は、無線リソース割当て情報を隣接ＲＡＴノードから受信し、接続されたＤＵのうちどれが、隣接ＲＡＴノードが無線リソース割当て情報をシグナリングしたセルに隣接するセルにサーブするかを決定する、ｇＮＢ−ＣＵから成る。接続されたＤＵのかかるリストを決定する際、ＣＵは、隣接ネットワークノードリソース情報を転送し、各ＤＵから対応するリソース割当て設定を受信する。特定の実施形態では、かかるリソース割当て設定は、隣接ＲＡＴノードによって伝送されるものとできるだけ重なり合わないものであり得る。次に、ＣＵは、各ＤＵからのリソース割当てをアグリゲートして、割り当てられたリソースの１つのグループとし、それを隣接ＲＡＴノードに返信する。アグリゲートした無線リソース割当てのかかる交換によって、異なるネットワークノードの異なるセルがスペクトルを共有するか、または隣接するスペクトルを使用するシナリオにおいて、リソース調整が容易になる。
【００３９】
特定の実施形態では、同じＣＵ下でのＤＵのカバレッジエリアは、別のＲＡＴの基地局、例えば隣接基地局（ＮＢＳ）のカバレッジエリアと完全にまたは部分的に重なり合ってもよい。隣接基地局は、モノリシックであるか、または同様に分散されてもよく、ＬＴＥ  ｅＮＢは前者の非限定例である。特定の実施形態では、分散されたアーキテクチャを有する基地局は、ｇＮＢ−ＣＵおよび多数のｇＮＢ−ＤＵから成るＮＲ  ｇＮＢであり、ＮＢＳはモノリシックのＬＴＥ  ｅＮＢであると仮定される。これは、異なるまたは同じＲＡＴの他の任意の組み合わせに対する本開示の有効性を除外するものではない。更に、仮定は、ＮＢＳが分散基地局である場合に関して、本開示で開示される方法の有効性を除外するものではない。
【００４０】
無線リソース共有の根本原因は、重なり合う無線リソースを利用している関与するノードが物理的に近接しており、結果的にそれらのカバレッジエリアが重なり合っていることである。ＣＵに連結されたＤＵが広い地理的範囲にわたって分散されてもよい一対多のＣＵ−ＤＵ関係では、ＣＵに接続されたＤＵの全てが必ずしも、無線リソースを共有しているＮＢＳとカバレッジが重なり合わなくてもよいこともあり得る。更に、同じＣＵに接続されたＤＵ間の正確なリソース割当ては変動してもよい。別のＲＡＴの基地局とリソースを共有することに加えて、分散基地局は、追加の無線リソース、例えばそれ自体の共有していない無線リソースを有してもよい。
【００４１】
ＣＵ−ＤＵ基地局のシナリオにおいて複数のＣＵ−ＤＵ連関がない、一対のモノリシック基地局間でのスペクトル共有の場合とは対照的に、別のＲＡＴの基地局とのスペクトル共有に関与するＣＵ下の特定のＤＵのみが考慮に入れられてもよい。
【００４２】
本開示の方法が解決する課題は、リソース共有に携わる基地局の一方が、ＣＵと、より広い地理的範囲にわたって分散された多数のＤＵとから成る、２つの基地局間でのＲＡＴ間無線リソース共有をどのように可能にするかである。
【００４３】
以下、本明細書において想到される実施形態のいくつかについて、添付図面を参照してさらに十分に記載する。しかしながら、他の実施形態が本明細書に開示する主題の範囲内に含まれ、開示する主題は、本明細書で説明する実施形態のみに限定されるものと解釈されるべきではなく、それよりもむしろ、これらの実施形態は、主題の範囲を当業者に伝えるために例として提供されるものである。
【００４４】
一般に、本明細書で使用する全ての用語は、異なる意味が明確に与えられない限り、ならびに／あるいは異なる意味がその用語を使用している文脈から示唆されない限り、関連技術分野におけるそれらの本来の意味にしたがって解釈されるべきものである。要素、装置、構成要素、手段、ステップなどに対する全ての参照は、別の形で明示的に定義されない限り、要素、装置、構成要素、手段、ステップなどの少なくとも一例を指すものと広く解釈されるべきである。本明細書に開示するいずれかの方法のステップは、あるステップが別のステップの後または前に行われると明示的に記載されない限り、ならびに／あるいはあるステップが別のステップの後または前に行われなければならないと示唆されない限り、開示する順序で正確に実施されなければならないものではない。本明細書に開示する実施形態のいずれかにおけるあらゆる特徴は、適切であれば、他のいずれかの実施形態に適用されてもよい。同様に、実施形態のいずれかにおけるあらゆる利点は、他のいずれかの実施形態に当てはまることがあり、その逆もまた真である。含まれる実施形態の他の目的、特徴、および利点は、以下の説明から明白になるであろう。
【００４５】
図５は、特定の実施形態による、無線ネットワークの一例である。本明細書に記載する主題は、任意の適切な構成要素を使用する任意の適切なタイプのシステムで実現されてもよいが、本明細書に開示する実施形態は、図５に示される例示の無線ネットワークなどの無線ネットワークに関連して記載する。単純にするため、図５の無線ネットワークは、ネットワーク５０６、ネットワークノード５６０および５６０ｂ、ならびにＷＤ  ５１０、５１０ｂ、および５１０ｃのみを示している。実際上、無線ネットワークは、無線デバイス間の通信、あるいは無線デバイスと地上電話、サービスプロバイダ、または他の任意のネットワークノードもしくはエンドデバイスなど、別の通信デバイスとの間の通信に対応するのに適した、任意の追加の要素を更に含んでもよい。図示される構成要素のうち、ネットワークノード５６０およびＷＤ  ５１０が更に詳細に図示されている。いくつかの実施形態では、ネットワークノード５６０は図９および１０に更に図示される基地局である。いくつかの実施形態では、ネットワークノード５６０は、図１６に更に示されるネットワークノードであってもよい。無線ネットワークは、通信および他のタイプのサービスを１つまたは複数の無線デバイスに提供して、無線ネットワークによってもしくは無線ネットワークを介して提供されるサービスに関する、無線デバイスのアクセスおよび／または使用を容易にしてもよい。
【００４６】
無線ネットワークは、任意のタイプの通信、電気通信、データ、移動体、および／または無線ネットワーク、あるいは他の同様のタイプのシステムを備えてもよく、ならびに／あるいはそれらとインターフェース接続してもよい。いくつかの実施形態では、無線ネットワークは、特定の規格、または他のタイプの規定の規則もしくは手順にしたがって動作するように構成されてもよい。したがって、無線ネットワークの特定の実施形態は、グローバル移動体通信システム（ＧＳＭ）、Ｕｎｉｖｅｒｓａｌ  Ｍｏｂｌｅ  Ｔｅｌｅｃｏｍｍｕｎｉｃａｔｉｏｎ  Ｓｙｓｔｅｍ（ＵＭＴＳ）、Ｌｏｎｇ−Ｔｅｒｍ  Ｅｖｏｌｕｔｉｏｎ（ＬＴＥ）、および／または他の適切な２Ｇ、３Ｇ、４Ｇ、もしくは５Ｇ規格、ＩＥＥＥ  ８０２．１１規格などの無線ローカルエリアネットワーク（ＷＬＡＮ）規格、ならびに／あるいは、ワールドワイド・インターオペラビリティ・フォー・マイクロウェーブ・アクセス（ＷｉＭａｘ）、ブルートゥース、Ｚ波、および／またはジグビー規格などの他の任意の適切な無線通信規格などの、通信規格を実現してもよい。
【００４７】
ネットワーク５０６は、１つもしくは複数のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間で通信できるようにする他のネットワークを含んでもよい。
【００４８】
ネットワークノード５６０およびＷＤ  ５１０は、更に詳細に後述する様々な構成要素を備える。これらの構成要素は、無線ネットワークにおける無線接続を提供するなど、ネットワークノードおよび／または無線デバイスの機能性を提供するために共に働く。異なる実施形態では、無線ネットワークは、任意の数の有線もしくは無線ネットワーク、ネットワークノード、基地局、コントローラ、無線デバイス、中継局、ならびに／あるいは、有線または無線接続のどちらかを介するデータおよび／または信号の通信を容易にするかまたはそれに関与することができる、他の任意の構成要素またはシステムを含んでもよい。
【００４９】
本明細書で使用するとき、ネットワークノードは、無線デバイスへの無線アクセスを可能にする、および／または無線アクセスを提供する、ならびに／あるいは無線ネットワークにおける他の機能（例えば、管理）を実施するために、無線通信ネットワーク内のネットワークノードまたもしくは他の機器と、直接または間接的に通信することができる、通信するように構成された、通信するように配置された、ならびに／または通信するように動作可能である、機器を指す。ネットワークノードの例としては、アクセスポイント（ＡＰ）（例えば、無線アクセスポイント）、基地局（ＢＳ）（例えば、無線基地局、ノードＢ、進化型ノードＢ（ｅＮＢ）、およびＮＲノードＢ（ｇＮＢ））が挙げられるが、それらに限定されない。基地局は、それらが提供するカバレッジの量（または換言すれば、それらの送信電力レベル）に基づいて分類されてもよく、そのため、フェムト基地局、ピコ基地局、マイクロ基地局、またはマクロ基地局とも呼ばれることがある。基地局は、中継を制御する中継ノードまたは中継ドナーノードであってもよい。ネットワークノードはまた、中央デジタルユニット、および／またはリモート無線ヘッド（ＲＲＨ）と呼ばれることがあるリモート無線ユニット（ＲＲＵ）など、分散無線基地局の１つもしくは複数（または全て）の部分を含んでもよい。かかるリモート無線ユニットは、アンテナ統合無線として、アンテナと統合されてもされなくてもよい。分散無線基地局の部分はまた、分散アンテナシステム（ＤＡＳ）のノードと呼ばれることもある。ネットワークノードの更なる他の例としては、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、ベーストランシーバ基地局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、ポジショニングノード（例えば、Ｅ−ＳＭＬＣ）、ならびに／あるいはＭＤＴが挙げられる。別の例として、ネットワークノードは、更に詳細に後述するような仮想ネットワークノードであってもよい。しかしながら、より一般的には、ネットワークノードは、無線デバイスが無線ネットワークにアクセスできるようにすること、もしくは無線デバイスに無線ネットワークへのアクセスを提供すること、および／または無線ネットワークにアクセスしている無線デバイスに何らかのサービスを提供することが、可能である、そのように構成されている、そのように配置されている、ならびに／またはそれを可能にするように動作可能である、任意の適切なデバイス（またはデバイス群）を表してもよい。
【００５０】
図５では、ネットワークノード５６０は、処理回路構成５７０と、デバイス可読媒体５８０と、インターフェース５９０と、補助機器５８４と、電源５８６と、電力回路構成５８７と、アンテナ５６２とを含む。図５の例示の無線ネットワークに示されるネットワークノード５６０は、ハードウェア構成要素の図示される組み合わせを含むデバイスを表すことがあるが、他の実施形態は、構成要素の異なる組み合わせを含むネットワークノードを備えてもよい。ネットワークノードは、本明細書に開示するタスク、特徴、機能、および方法を実施するのに必要な、ハードウェアおよび／またはソフトウェアの任意の適切な組み合わせを含むことが理解されるべきである。更に、ネットワークノード５６０の構成要素は、より大きいボックス内に位置するかまたは複数のボックス内に入れ子状になった、単独のボックスとして示されているが、実際上、ネットワークノードは、単一の図示される構成要素を構成する複数の異なる物理的構成要素を含んでもよい（例えば、デバイス可読媒体５８０は、複数の別個のハードドライブならびに複数のＲＡＭモジュールを備えてもよい）。
【００５１】
同様に、ネットワークノード５６０は、各々がそれぞれ自身の構成要素を有してもよい、複数の物理的に別個の構成要素（例えば、ノードＢコンポーネントおよびＲＮＣコンポーネント、またはＢＴＳコンポーネントおよびＢＳＣコンポーネントなど）から成ってもよい。ネットワークノード５６０が複数の別個の構成要素（例えば、ＢＴＳおよびＢＳＣコンポーネント）を備える特定のシナリオでは、別個の構成要素の１つまたは複数が、いくつかのネットワークノードの間で共有されてもよい。例えば、単一のＲＮＣが複数のノードＢを制御してもよい。かかるシナリオでは、ノードＢおよびＲＮＣの固有の各対が、場合によっては、単一の別個のネットワークノードと見なされてもよい。いくつかの実施形態では、ネットワークノード５６０は、複数の無線アクセス技術（ＲＡＴ）に対応するように構成されてもよい。かかる実施形態では、いくつかの構成要素が重複してもよく（例えば、異なるＲＡＴに対して別個のデバイス可読媒体５８０）、いくつかの構成要素は再使用されてもよい〈例えば、同じアンテナ５６２がＲＡＴによって共有されてもよい）。ネットワークノード５６０はまた、例えば、ＧＳＭ、ＷＣＤＭＡ、ＬＴＥ、ＮＲ、ＷｉＦｉ、またはブルートゥース無線技術など、ネットワークノード５６０に統合された異なる無線技術に関する複数組の様々な図示される構成要素を含んでもよい。これらの無線技術は、同じまたは異なるチップもしくはチップセット、およびネットワークノード５６０内の他の構成要素に統合されてもよい。
【００５２】
処理回路構成５７０は、ネットワークノードによって提供されるものとして本明細書に記載される、任意の決定、計算、または類似の動作（例えば、特定の取得動作）を実施するように構成される。処理回路構成５７０によって実施されるこれらの動作は、例えば、取得された情報を他の情報に変換すること、取得された情報または変換された情報をネットワークノードに格納された情報と比較すること、ならびに／あるいは取得された情報または変換された情報に基づいて１つもしくは複数の動作を実施することによって、処理回路構成５７０によって取得される情報を処理すること、ならびに前記処理の結果として決定を行うことを含んでもよい。いくつかの実施形態では、ネットワークノード５６０は、図１５に関して記載するＣＵの機能を実施してもよい。いくつかの実施形態では、ネットワークノード５６０は、図１５に関して記載するＤＵの機能を実施してもよい。
【００５３】
処理回路構成５７０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のネットワークノード５６０の構成要素（デバイス可読媒体５８０、ネットワークノード５６０の機能性など）と併せて提供するように動作可能な、ハードウェア、ソフトウェア、および／または符号化論理の組み合わせのうち、１つもしくは複数のものの組み合わせを備えてもよい。例えば、処理回路構成５７０は、デバイス可読媒体５８０に、または処理回路構成５７０内のメモリに格納された命令を実行してもよい。かかる機能性は、本明細書で考察する様々な無線の特徴、機能、または利益のいずれかを提供することを含んでもよい。いくつかの実施形態では、処理回路構成５７０はシステムオンチップ（ＳＯＣ）を含んでもよい。
【００５４】
いくつかの実施形態では、処理回路構成５７０は、無線周波数（ＲＦ）送受信機回路構成５７２およびベースバンド処理回路構成５７４の１つまたは複数を含んでもよい。いくつかの実施形態では、無線周波数（ＲＦ）送受信機回路構成５７２およびベースバンド処理回路構成５７４は、別個のチップ（もしくはチップセット）、ボード、または無線ユニットおよびデジタルユニットなどのユニット上にあってもよい。代替実施形態では、ＲＦ送受信機回路構成５７２およびベースバンド処理回路構成５７４の一部または全ては、同じチップもしくはチップセット、ボード、またはユニットの上にあってもよい。
【００５５】
特定の実施形態では、ネットワークノード、基地局、ｅＮＢ、または他のかかるネットワークデバイスによって提供されるものとして本明細書に記載する機能性の一部または全ては、デバイス可読媒体５８０または処理回路構成５７０内のメモリに格納された命令を実行する、処理回路構成５７０によって実施されてもよい。代替実施形態では、機能性の一部または全ては、ハードワイヤード方式などで、別個のまたは離散的なデバイス可読媒体に格納された命令を実行することなく、処理回路構成５７０によって提供されてもよい。それらの実施形態のいずれかにおいて、デバイス可読記憶媒体に格納された命令を実行するか否かにかかわらず、処理回路構成５７０は、記載される機能性を実施するように構成することができる。かかる機能性によって提供される利益は、処理回路構成５７０のみに、またはネットワークノード５６０の他の構成要素に限定されず、ネットワークノード５６０全体ならびに／あるいはエンドユーザおよび無線ネットワーク全般によって享受される。
【００５６】
デバイス可読媒体５８０は、非限定的に、永続記憶装置、固体メモリ、リモート実装メモリ、磁気媒体、光学媒体、ランダムアクセスメモリ（ＲＡＭ）、読出し専用メモリ（ＲＯＭ）、大容量記憶媒体（例えば、ハードディスク）、リムーバブル記憶媒体（例えば、フラッシュドライブ、コンパクトディスク（ＣＤ）、もしくはデジタルビデオディスク（ＤＶＤ））、ならびに／または他の任意の揮発性もしくは不揮発性非一時的デバイス可読および／もしくはコンピュータ実行可能メモリデバイスを含む、処理回路構成５７０によって使用されてもよい情報、データ、および／もしくは命令を格納する、任意の形態の揮発性または不揮発性コンピュータ可読メモリを含んでもよい。デバイス可読媒体５８０は、論理、規則、コード、テーブルなどの１つもしくは複数を含むコンピュータプログラム、ソフトウェア、アプリケーションを含む、任意の適切な命令、データ、または情報、あるいは処理回路構成５７０によって実行され、ネットワークノード５６０によって利用され得る他の命令を格納してもよい。デバイス可読媒体５８０は、処理回路構成５７０によって行われる任意の計算、および／またはインターフェース５９０を介して受信される任意のデータを格納するのに使用されてもよい。いくつかの実施形態では、処理回路構成５７０およびデバイス可読記憶媒体５８０は、統合されたものと見なされてもよい。
【００５７】
インターフェース５９０は、ネットワークノード５６０、ネットワーク５０６、および／またはＷＤ  ５１０の間における、シグナリングおよび／またはデータの有線または無線通信で使用される。図示されるように、インターフェース５９０は、例えば、有線接続を通じてネットワーク５０６との間でデータを送受信する、ポート／端子５９４を備える。インターフェース５９０はまた、アンテナ５６２に、または特定の実施形態ではその一部に連結されてもよい、無線フロントエンド回路構成５９２を含む。無線フロントエンド回路構成５９２はフィルタ５９８および増幅器５９６を備える。無線フロントエンド回路構成５９２はアンテナ５６２および処理回路構成５７０に接続されてもよい。無線フロントエンド回路構成は、アンテナ５６２と処理回路構成５７０との間で通信される信号を調整するように構成されてもよい。無線フロントエンド回路構成５９２は、無線接続を介して他のネットワークノードまたはＷＤに対して送出されるべきである、デジタルデータを受信してもよい。無線フロントエンド回路構成５９２は、フィルタ５９８および／または増幅器５９６の組み合わせを使用して、デジタルデータを、適切なチャネルおよび帯域幅パラメータを有する無線信号へと変換してもよい。無線信号は次に、アンテナ５６２を介して送信されてもよい。同様に、データを受信するとき、アンテナ５６２は無線信号を収集してもよく、それらは次に、無線フロントエンド回路構成５９２によってデジタルデータへと変換される。デジタルデータは処理回路構成５７０に渡されてもよい。他の実施形態では、インターフェースは、異なる構成要素および／または構成要素の異なる組み合わせを備えてもよい。
【００５８】
特定の代替実施形態では、ネットワークノード５６０は別個の無線フロントエンド回路構成５９２を含まなくてもよく、代わりに、処理回路構成５７０は、無線フロントエンド回路構成を備えてもよく、別個の無線フロントエンド回路構成５９２なしでアンテナ５６２に接続されてもよい。同様に、いくつかの実施形態では、ＲＦ送受信機回路構成５７２の全てまたは一部はインターフェース５９０の一部と見なされてもよい。更に他の実施形態では、インターフェース５９０は、無線ユニット（図示なし）の一部として、１つもしくは複数のポートまたは端子５９４、無線フロントエンド回路構成５９２、およびＲＦ送受信機回路構成５７２を含んでもよく、インターフェース５９０は、デジタルユニット（図示なし）の一部である、ベースバンド処理回路構成５７４と通信してもよい。
【００５９】
アンテナ５６２は、無線信号を送信および／または受信するように構成された、１つもしくは複数のアンテナまたはアンテナアレイを含んでもよい。アンテナ５６２は、無線フロントエンド回路構成５９０に連結されてもよく、データおよび／または信号を無線で送受信することができる、任意のタイプのアンテナであってもよい。いくつかの実施形態では、アンテナ５６２は、例えば、２ＧＨｚ〜６６ＧＨｚの無線信号を送受信するように動作可能な、１つもしくは複数の全方向性、セクター、またはパネルアンテナを含んでもよい。全方向性アンテナは、任意の方向で無線信号を送受信するのに使用されてもよく、セクターアンテナは、特定のエリア内でデバイスから無線信号を送受信するのに使用されてもよく、パネルアンテナは、比較的直線で無線信号を送受信するのに使用される見通し線アンテナであってもよい。いくつかの例では、１つを超えるアンテナの使用はＭＩＭＯと呼ばれることがある。特定の実施形態では、アンテナ５６２は、ネットワークノード５６０とは別個であってもよく、インターフェースまたはポートを通してネットワークノード５６０に接続可能であってもよい。
【００６０】
アンテナ５６２、インターフェース５９０、および／または処理回路構成５７０は、ネットワークノードによって実施されるものとして、本明細書に記載するあらゆる受信動作および／または特定の取得動作を実施するように構成されてもよい。あらゆる情報、データ、および／または信号は、無線デバイス、別のネットワークノード、および／または他の任意のネットワーク機器から受信されてもよい。同様に、アンテナ５６２、インターフェース５９０、および／または処理回路構成５７０は、ネットワークノードによって実施されるものとして、本明細書に記載するあらゆる送信動作を実施するように構成されてもよい。あらゆる情報、データ、および／または信号は、無線デバイス、別のネットワークノード、および／または他の任意のネットワーク機器に送信されてもよい。
【００６１】
電力回路構成５８７は、電力管理回路構成を含むかまたはそれに連結されてもよく、ネットワークノード５６０の構成要素に、本明細書に記載する機能性を実施する電力を供給するように構成される。電力回路構成５８７は電源５８６から電力を受信してもよい。電源５８６および／または電力回路構成５８７は、それぞれの構成要素に適した形態で（例えば、それぞれの構成要素に必要な電圧および電流レベルで）、ネットワークノード５６０の様々な構成要素に電力を提供するように構成されてもよい。電源５８６は、回路構成５８７および／またはネットワークノード５６０に含まれるか、あるいはその外部にあってもよい。例えば、ネットワークノード５６０は、入力回路構成、または電気ケーブルなどのインターフェースを介して、外部電源（例えば、電気コンセント）に接続可能であってもよく、外部電源は電力を電力回路構成５８７に供給する。更なる例として、電源５８６は、電力回路構成５８７に接続されるかまたは統合される、電池もしくは電池パックの形態の電源を含んでもよい。電池は、外部電源が故障した場合のバックアップ電力を提供してもよい。光起電デバイスなど、他のタイプの電源も使用されてもよい。
【００６２】
ネットワークノード５６０の代替実施形態は、本明細書に記載する機能性のいずれか、および／または本明細書に記載する主題に対応するのに必要な任意の機能性を含む、ネットワークノードの機能性の特定の態様を提供することに関与してもよい、図５に示されるものを超える追加の構成要素を含んでもよい。例えば、ネットワークノード５６０は、情報をネットワークノード５６０に入力するのを可能にし、情報をネットワークノード５６０から出力するのを可能にする、ユーザインターフェース機器を含んでもよい。これは、ネットワークノード５６０に対する診断、保守、修理、および他の管理機能をユーザが実施するのを可能にしてもよい。
【００６３】
本明細書で使用するとき、無線デバイス（ＷＤ）は、ネットワークノードおよび／または他の無線デバイスと無線で通信することができる、そのように構成されている、そのように配置されている、および／またはそのように動作可能であるデバイスを指す。別段の記述がない限り、ＷＤという用語は、本明細書ではユーザ機器（ＵＥ）と交換可能に使用されてもよい。無線通信には、電磁波、電波、赤外線波、および／または無線で情報を伝達するのに適した他のタイプの信号を使用して、無線信号を送信および／または受信することが関与してもよい。いくつかの実施形態では、ＷＤは、直接的な人間の相互作用なしに情報を送信および／または受信するように構成されてもよい。例えば、ＷＤは、内部もしくは外部イベントによって起動されると、またはネットワークからの要求に応答して、所定のスケジュールでネットワークに情報を送信するように設計されてもよい。ＷＤの例としては、スマートフォン、移動電話、携帯電話、ボイスオーバーＩＰ（ＶｏＩＰ）電話、無線ローカルループ電話、デスクトップコンピュータ、携帯情報端末（ＰＤＡ）、無線カメラ、ゲームコンソールもしくはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線カスタマー構内設備（ＣＰＥ）、車載型無線端末デバイスなどが挙げられるが、それらに限定されない。ＷＤは、例えば、サイドリンク通信の３ＧＰＰ規格を実現することによるデバイス間（Ｄ２Ｄ）通信、車車間（Ｖ２Ｖ）、路車間（Ｖ２Ｉ）、車車間・路車間（Ｖ２Ｘ）に対応してもよく、この場合、Ｄ２Ｄ通信デバイスと呼ばれることがある。更に別の特定の例として、物のインターネット（ＩｏＴ）のシナリオでは、ＷＤは、監視および／または測定を実施し、かかる監視および／または測定の結果を別のＷＤおよび／またはネットワークノードに送信する、機械または他のデバイスを表してもよい。ＷＤは、この場合、３ＧＰＰの文脈ではＭＴＣデバイスと呼ばれることがある、マシンツーマシン（Ｍ２Ｍ）デバイスであってもよい。１つの特定の例として、ＷＤは、３ＧＰＰ狭帯域物のインターネット（ＮＢ−ＩｏＴ）規格を実現するＵＥであってもよい。かかるマシンまたはデバイスの特定の例は、センサ、電力計などの計量デバイス、工業用機械類、家庭用または個人用電気器具（例えば、冷蔵庫、テレビなど）、個人用ウェアラブル（例えば、時計、フィットネストラッカーなど）である。他のシナリオでは、ＷＤは、その動作状態またはその動作と関連付けられた他の機能に関して監視および／または報告することができる、車両用または他の機器を表してもよい。上述したようなＷＤは、無線接続のエンドポイントを表してもよく、その場合、デバイスは無線端末と呼ばれることがある。更に、上述したようなＷＤは移動体であってもよく、その場合、移動デバイスまたは移動端末と呼ばれることもある。
【００６４】
図示されるように、無線デバイス５１０は、アンテナ５１１、インターフェース５１４、処理回路構成５２０、デバイス可読媒体５３０、ユーザインターフェース機器５３２、補助機器５３４、電源５３６、および電力回路構成５３７を含む。ＷＤ  ５１０は、例えば、例を挙げると、ＧＳＭ、ＷＣＤＭＡ、ＬＴＥ、ＮＲ、ＷｉＦｉ、ＷｉＭＡＸ、またはブルートゥース無線技術など、ＷＤ  ５１０が対応する異なる無線技術に対して、図示される構成要素のうち１つまたは複数のものの複数組を含んでもよい。これらの無線技術は、ＷＤ  ５１０内の他の構成要素と同じもしくは異なるチップまたはチップセットに統合されてもよい。
【００６５】
アンテナ５１１は、無線信号を送信および／または受信するように構成された、１つもしくは複数のアンテナまたはアンテナアレイを含んでもよく、インターフェース５１４に接続される。特定の代替実施形態では、アンテナ５１１は、ＷＤ  ５１０とは別個であってもよく、インターフェースまたはポートを通してＷＤ  ５１０に接続可能であってもよい。アンテナ５１１、インターフェース５１４、および／または処理回路構成５２０は、ＷＤによって実施されるものとして本明細書に記載される、あらゆる受信または送信動作を実施するように構成されてもよい。あらゆる情報、データ、および／または信号は、ネットワークノードおよび／または別のＷＤから受信されてもよい。いくつかの実施形態では、無線フロントエンド回路構成および／またはアンテナ５１１は、インターフェースと見なされてもよい。
【００６６】
図示されるように、インターフェース５１４は無線フロントエンド回路構成５１２およびアンテナ５１１を備える。無線フロントエンド回路構成５１２は、１つまたは複数のフィルタ５１８および増幅器５１６を備える。無線フロントエンド回路構成５１４は、アンテナ５１１および処理回路構成５２０に接続され、アンテナ５１１と処理回路構成５２０との間で通信される信号を調整するように構成される。無線フロントエンド回路構成５１２は、アンテナ５１１に連結されるか、またはその一部であってもよい。いくつかの実施形態では、ＷＤ  ５１０は、別個の無線フロントエンド回路構成５１２を含まなくてもよく、それよりもむしろ、処理回路構成５２０は、無線フロントエンド回路構成を備えてもよく、アンテナ５１１に接続されてもよい。同様に、いくつかの実施形態では、ＲＦ送受信機回路構成５２２の全てまたは一部はインターフェース５１４の一部と見なされてもよい。無線フロントエンド回路構成５１２は、無線接続を介して他のネットワークノードまたはＷＤに対して送出されるべきである、デジタルデータを受信してもよい。無線フロントエンド回路構成５１２は、フィルタ５１８および／または増幅器５１６の組み合わせを使用して、デジタルデータを、適切なチャネルおよび帯域幅パラメータを有する無線信号へと変換してもよい。無線信号は次に、アンテナ５１１を介して送信されてもよい。同様に、データを受信するとき、アンテナ５１１は無線信号を収集してもよく、それらは次に、無線フロントエンド回路構成５１２によってデジタルデータへと変換される。デジタルデータは処理回路構成５２０に渡されてもよい。他の実施形態では、インターフェースは、異なる構成要素および／または構成要素の異なる組み合わせを備えてもよい。
【００６７】
処理回路構成５２０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、あるいは単独で、または他のＷＤ  ５１０の構成要素（デバイス可読媒体５３０、ＷＤ  ５１０の機能性など）と併せて提供するように動作可能な、ハードウェア、ソフトウェア、および／または符号化論理の組み合わせのうち、１つもしくは複数のものの組み合わせを備えてもよい。かかる機能性は、本明細書で考察する様々な無線の特徴または利益のいずれかを提供することを含んでもよい。例えば、処理回路構成５２０は、デバイス可読媒体５３０に、または処理回路構成５２０内のメモリに格納された命令を実行して、本明細書に開示する機能性を提供してもよい。
【００６８】
図示されるように、処理回路構成５２０は、ＲＦ送受信機回路構成５２２、ベースバンド処理回路構成５２４、およびアプリケーション処理回路構成５２６の１つまたは複数を含む。他の実施形態では、処理回路構成は、異なる構成要素および／または構成要素の異なる組み合わせを備えてもよい。特定の実施形態では、ＷＤ  ５１０の処理回路構成５２０はＳＯＣを備えてもよい。いくつかの実施形態では、ＲＦ送受信機回路構成５２２、ベースバンド処理回路構成５２４、およびアプリケーション処理回路構成５２６は、別個のチップまたはチップセット上にあってもよい。代替実施形態では、ベースバンド処理回路構成５２４およびアプリケーション処理回路構成５２６の一部または全ては、１つのチップまたはチップセットに組み入れられてもよく、ＲＦ送受信機回路構成５２２は別個のチップまたはチップセット上にあってもよい。更なる代替実施形態では、ＲＦ送受信機回路構成５２２およびベースバンド処理回路構成５２４の一部または全てが、同じチップまたはチップセット上にあってもよく、アプリケーション処理回路構成５２６が別個のチップまたはチップセット上にあってもよい。更なる他の代替実施形態では、ＲＦ送受信機回路構成５２２、ベースバンド処理回路構成５２４、およびアプリケーション処理回路構成５２６の一部または全てが、同じチップまたはチップセットに組み入れられてもよい。いくつかの実施形態では、ＲＦ送受信機回路構成５２２はインターフェース５１４の一部であってもよい。ＲＦ送受信機回路構成５２２は、処理回路構成５２０に対するＲＦ信号を調整してもよい。
【００６９】
特定の実施形態では、ＷＤによって実施されるものとして本明細書に記載される機能性の一部または全ては、特定の実施形態ではコンピュータ可読記憶媒体であってもよい、デバイス可読媒体５３０に格納された命令を処理回路構成５２０が実行することによって提供されてもよい。代替実施形態では、機能性の一部または全ては、ハードワイヤード方式などで、別個のまたは離散的なデバイス可読記憶媒体に格納された命令を実行することなく、処理回路構成５２０によって提供されてもよい。これら特定の実施形態のいずれかにおいて、デバイス可読記憶媒体に格納された命令を実行するか否かにかかわらず、処理回路構成５２０は、記載される機能性を実施するように構成することができる。かかる機能性によって提供される利益は、処理回路構成５２０のみに、またはＷＤ  ５１０の他の構成要素に限定されず、ＷＤ  ５１０全体ならびに／あるいはエンドユーザおよび無線ネットワーク全般によって享受される。
【００７０】
処理回路構成５２０は、ＷＤによって実施されるものとして本明細書に記載される、任意の決定、計算、または類似の動作（例えば、特定の取得動作）を実施するように構成されてもよい。処理回路構成５２０によって実施されるようなこれらの動作は、例えば、取得された情報を他の情報に変換すること、取得された情報または変換された情報をＷＤ  ５１０によって格納された情報と比較すること、ならびに／あるいは取得された情報または変換された情報に基づいて１つもしくは複数の動作を実施することによって、処理回路構成５２０によって取得される情報を処理すること、ならびに前記処理の結果として決定を行うことを含んでもよい。
【００７１】
デバイス可読記憶媒体５３０は、１つもしくは複数の論理、規則、符号、テーブルなどを含む、コンピュータプログラム、ソフトウェア、アプリケーション、ならびに／あるいは処理回路構成５２０によって実行することができる他の命令を格納するように動作可能であってもよい。デバイス可読記憶媒体５３０の例としては、コンピュータメモリ（例えば、ランダムアクセスメモリ（ＲＡＭ）または読出し専用メモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、ならびに／あるいは、処理回路構成５２０によって使用されてもよい情報、データ、および／または命令を格納する、他の任意の揮発性もしくは不揮発性非一時的デバイス可読および／またはコンピュータ実行可能メモリデバイスを挙げることができる。いくつかの実施形態では、処理回路構成５２０およびデバイス可読記憶媒体５３０は、統合されたものと見なされてもよい。
【００７２】
ユーザインターフェース機器５３２は、人間のユーザがＷＤ  ５１０と相互作用することを可能にする構成要素を提供してもよい。かかる相互作用は、視覚、聴覚、触覚など、多くの形態のものであってもよい。ユーザインターフェース機器５３２は、ユーザに対する出力を生成し、ユーザがＷＤ  ５１０への入力を提供するように動作可能であってもよい。相互作用のタイプは、ＷＤ  ５１０にインストールされるユーザインターフェース機器５３２のタイプに応じて変わってもよい。例えば、ＷＤ  ５１０がスマートフォンの場合、相互作用はタッチスクリーンを介してもよく、ＷＤ  ５１０がスマートメータの場合、相互作用は、使用（例えば、使用したガロン数）を提供する画面、または（例えば、煙が検出された場合に）可聴警告音を提供するスピーカーを通すものであってもよい。ユーザインターフェース機器５３２は、入力インターフェース、デバイス、および回路、ならびに出力インターフェース、デバイス、および回路を含んでもよい。ユーザインターフェース機器５３２は、ＷＤ  ５１０への情報の入力を可能にするように構成され、処理回路構成５２０に接続されて、処理回路構成５２０が入力情報を処理するのを可能にする。ユーザインターフェース機器５３２は、例えば、マイクロフォン、近接センサもしくは他のセンサ、キー／ボタン、タッチディスプレイ、１つもしくは複数のカメラ、ＵＳＢポート、または他の入力回路構成を含んでもよい。ユーザインターフェース機器５３２はまた、ＷＤ  ５１０からの情報の出力を可能にし、処理回路構成５２０が情報をＷＤ  ５１０から出力するのを可能にするように構成される。ユーザインターフェース機器５３２は、例えば、スピーカー、ディスプレイ、振動回路構成、ＵＳＢポート、ヘッドフォンインターフェース、または他の出力回路構成を含んでもよい。ユーザインターフェース機器５３２の１つまたは複数の入力および出力インターフェース、デバイス、および回路を使用して、ＷＤ  ５１０は、エンドユーザおよび／または無線ネットワークと通信し、それらが本明細書に記載する機能性から利益を得ることを可能にしてもよい。
【００７３】
補助機器５３４は、一般にはＷＤによって実施されないことがある、より具体的な機能性を提供するように動作可能である。これは、様々な目的の測定を行う専用センサ、有線通信などの追加のタイプの通信のためのインターフェースなどを含んでもよい。補助機器５３４を含むこと、またその構成要素のタイプは、実施形態および／またはシナリオに応じて異なってもよい。
【００７４】
電源５３６は、いくつかの実施形態では、電池または電池パックの形態のものであってもよい。外部電源（例えば、電気コンセント）、光起電デバイス、またはパワーセルなど、他のタイプの電源も使用されてもよい。ＷＤ  ５１０は、本明細書に記載または指示される任意の機能性を実施するのに電源５３６からの電力を必要とするＷＤ  ５１０の様々な部分に、電源５３６から電力を送達する、電力回路構成５３７を更に備えてもよい。電力回路構成５３７は、特定の実施形態では、電力管理回路構成を含んでもよい。電力回路構成５３７は、それに加えてまたはその代わりに、外部電源から電力を受信するように動作可能であってもよく、その場合、ＷＤ  ５１０は、入力回路構成、または電力ケーブルなどのインターフェースを介して、外部電源（電気コンセントなど）に接続可能であってもよい。電力回路構成５３７はまた、特定の実施形態では、外部電源から電源５３６に電力を送達するように動作可能であってもよい。これは、例えば、電源５３６を充電するものであってもよい。電力回路構成５３７は、電源５３６からの電力に対して任意のフォーマット化、変換、または他の修正を実施して、電力が供給されるＷＤ  ５１０のそれぞれの構成要素に適した電力にしてもよい。
【００７５】
図６は、特定の実施形態による、隣接ＬＴＥネットワークノードとＮＲネットワークノードの分散ユニットとの間での、ＲＡＴ間リソース割当ての一例を示している。
【００７６】
非限定例として、ＬＴＥ  ｅＮＢ  ６１０は隣接基地局と見なされ、ＮＲ  ｇＮＢ  ６００は分散基地局と見なされる。ｇＮＢ  ６００は、ｇＮＢ−ＣＵ  ６２０と多数のｇＮＢ−ＤＵ  ６３０ａ〜ｃとに分割される。特定の実施形態では、ｇＮＢ  ６００はｇＮＢ−ＣＵとｇＮＢ−ＤＵとに分割される。
【００７７】
一実施形態では、ｅＮＢ  ６１０は、Ｘ２またはＸｎインターフェースなどのインターフェースを通じて、リソース調整情報をｇＮＢ  ６００にシグナリングする。この情報は、各ビットが時間周波数リソースに対応する、ビットマップとして表されてもよい。特定の実施形態は、ビットマップのあるビットが「１」にセットされた場合、リソースは送信側のｅＮＢ  ６１０によって利用されることを意味し、ビットが「０」にセットされた場合、リソースは送信側のｅＮＢ  ６１０によって利用されないことを意味する。リソース割当ては、ｅＮＢ  ６１０がサーブするセル６１２に特異的である。いくつかの実施形態では、情報は分析的記述として表されてもよい。ｅＮＢ  ６１０によってｇＮＢ  ６００に伝送されるメッセージは、リソース割当て情報が、同じ周波数リソースを共有するかまたは隣接する周波数リソースを使用するセル間での、セルレベルのリソース調整に使用されるためのものであることを、ｇＮＢ  ６００が理解するのを可能にするフォーマットにしたがう。
【００７８】
リソース情報を受信すると、５Ｇ  ｇＮＢ−ＣＵ  ６２０は、情報が提供された４Ｇ  ｅＮＢセル６１２と、５Ｇ  ｇＮＢ  ６００における対応する隣接セル６３２ａ〜ｃとの間で、周波数リソース調整が必要であることを理解する。
【００７９】
したがって、ｇＮＢ−ＣＵ  ６２０は、ｅＮＢセル６１２と、ｇＮＢ−ＣＵ  ６２０に接続されるｇＮＢ−ＤＵ  ６３０ａ〜ｃのセル６３２ａ〜ｃとの間の隣接関係を推論する。かかる隣接関係は、ｇＮＢ  ６００で以前に設定されているものであることがある。特定の実施形態では、隣接関係は、サーブしたＵＥが隣接セル６３２ａ〜ｃを検出し、セル識別子をサービングノード６００に報告してもよい、ＵＥ測定を用いて獲得されていることがあり、それによって隣接セルリストの構築が可能になる。
【００８０】
ｇＮＢ−ＣＵ  ６２０が問題のｅＮＢセル６１２に隣接するセル６３２ａ〜ｃを検出すると、ｇＮＢ−ＣＵ  ６２０は、かかるセル６３２ａ〜ｃにサーブするｇＮＢ−ＤＵ  ６３０ａ〜ｃを識別する。これは、ｇＮＢ−ＤＵ  ６３０ａ〜ｃがサーブされるセル６３２ａ〜ｃを公表する、接続されたｇＮＢ−ＤＵ  ６３０ａ〜ｃを用いた適切な以前のシグナリングによって、ｇＮＢ−ＣＵ  ６２０には分かっている。
【００８１】
したがって、ｇＮＢ−ＣＵ  ６２０は、ｅＮＢ  ６１０によって以前に受信されたリソース割当て情報を全ての識別されたｇＮＢ−ＤＵ  ６３０ａ〜ｃに転送する。
【００８２】
ｅＮＢセルリソース割当て情報を受信すると、各ｇＮＢ−ＤＵ  ６３０ａ〜ｃは、ＤＵ  ６３０ａ〜ｃが接続されたＵＥにサーブするのに採用する必要がある、リソース割当てを計算する。ＤＵ  ６３０ａ〜ｃは、上述したリソース割当ての符号化と類似の手法で、例えば、各ビットが時間周波数リソースを表すビット列の形態で、かかるリソース割当てをシグナリングする。
【００８３】
ｇＮＢ−ＣＵ  ６２０は、リソース割当て情報をいくつかの接続されたｇＮＢ−ＤＵ  ６３０ａ〜ｃから受信する。各リソース割当て情報は、１つのｇＮＢ−ＤＵ  ６３０ａ〜ｃがサーブするセル６３２ａ〜ｃに関連する。問題のｅＮＢセル６１２に隣接する１つのｇＮＢ−ＤＵセル６３２ａ〜ｃ当たり複数のかかるリソース情報を受信するｇＮＢ−ＣＵ  ６２０は、全てのかかるリソース割当て情報をアグリゲートして、関与するｇＮＢ−ＤＵ  ６３０ａ〜ｃが割り当てられていることを宣言している全ての時間周波数リソースを表す１つの情報、例えばビットマップを形成する。ビットマップとしてのリソース情報を表す例では、１つのビットが時間周波数リソースを表す、上述の同じモデルを仮定してもよい。
【００８４】
かかるアグリゲートされたリソース割当て情報をコンパイルする際、ｇＮＢ−ＣＵ  ６２０は情報を隣接するｅＮＢ  ６１０に伝送する。したがって、隣接するｅＮＢ  ６１０は、この情報を使用して、隣接するｇＮＢ−ＤＵ  ６３０ａ〜ｃの共有または隣接時間周波数リソースによって使用される、リソースを推測する。かかる情報によって、ｅＮＢ  ６１０が、かかるｇＮＢ−ＤＵ  ６３０ａ〜ｃによるリソース利用調整を維持して、例えば、同じ時間周波数リソースの同時利用を回避することが可能になる。あるいは、情報は、問題のｇＮＢ−ＤＵ  ６３０ａ〜ｃがｅＮＢ  ６１０によって既に割り当てられたリソースの利用を割り当てていることを認識するため、ｅＮＢ  ６１０によって使用されてもよい。この場合、ｅＮＢ  ６１０は、そのリソース割当てを修正し、更新した情報をｇＮＢ−ＣＵ  ６２０に返信してもよい。この時点で、ｇＮＢ−ＤＵ  ６３０ａ〜ｃに対するかかる情報のシグナリングの新しいラウンド、およびリソース割当て情報をｇＮＢ−ＤＵ  ６３０ａ〜ｃからｇＮＢ−ＣＵ  ６２０に返し、次にｅＮＢ  ６１０に返すシグナリングの新しいラウンドが実施される。
【００８５】
別の実施形態では、ｇＮＢ−ＣＵ  ６２０は、リソース割当て情報を識別されたｇＮＢ−ＤＵ  ６３０ａ〜ｃから受信すると、ｇＮＢ−ＤＵ  ６３０ａ〜ｃのうち１つを超えるｇＮＢ−ＤＵが時間周波数リソースの同じセットの使用を意図していることを認識してもよい。したがって、例えば、ｇＮＢ−ＣＵ  ６２０は、ｇＮＢ−ＤＵ  ６３０ｂ〜ｃが、直接隣接するセル６３２ｂ〜ｃ、即ち隣接カバレッジを有するセル６３２ｂ〜ｃにサーブするかを判定してもよい。ｇＮＢ−ＤＵ  ６３０ｂ〜ｃが直接隣接している場合、ｇＮＢ−ＣＵ  ６２０は、かかるｇＮＢ−ＤＵ  ６３０ｂ〜ｃの中からリソースをどのように分割するかを決定してもよい。つまり、ｇＮＢ−ＣＵ  ６２０は、関与するｇＮＢ−ＤＵ  ６３２ｂ〜ｃそれぞれに、これらの共通して割り当てられたリソースの一部分が関与するＤＵ  ６３２ｂ〜ｃの１つによって独自に使用されてもよいことをシグナリングしてもよい。かかる手順は、異なるリソースのセットに対して、また異なるｇＮＢ−ＤＵ  ６３２ｂ〜ｃに対して実施されてもよい。
【００８６】
図７は、本明細書に記載する様々な態様による、ＵＥの一実施形態を示している。本明細書で使用するとき、ユーザ機器、即ちＵＥは、関連デバイスを所有および／または操作する人間のユーザという意味では、必ずしもユーザを有さなくてもよい。代わりに、ＵＥは、人間のユーザに販売するか人間のユーザによって操作されることが意図されるが、特定の人間のユーザと関連付けられないことがある、または最初は関連付けられないことがあるデバイスを表してもよい（例えば、スマートスプリンクラーコントローラ）。あるいは、ＵＥは、エンドユーザに販売するかエンドユーザによって操作されることは意図されないが、ユーザと関連付けられるかまたはユーザの利益のために操作されてもよいデバイスを表してもよい（例えば、スマート電力計）。ＵＥ  ７００は、ＮＢ−ＩｏＴ  ＵＥ、マシンタイプ通信（ＭＴＣ）ＵＥ、および／または拡張型ＭＴＣ（ｅＭＴＣ）ＵＥを含む、第３世代パートナーシッププロジェクト（３ＧＰＰ）によって特定される任意のＵＥであってもよい。図７に示されるようなＵＥ  ７００は、３ＧＰＰのＧＳＭ、ＵＭＴＳ、ＬＴＥ、および／または５Ｇ規格など、第３世代パートナーシッププロジェクト（３ＧＰＰ）によって普及される１つまたは複数の通信規格にしたがった通信向けに構成されたＷＤの一例である。上述したように、ＷＤおよびＵＥという用語は交換可能に使用されてもよい。したがって、図７はＵＥであるが、本明細書で考察する構成要素はＷＤに等しく適用可能であり、その逆もまた真である。
【００８７】
図７では、ＵＥ  ７００は、入出力インターフェース７０５、無線周波数（ＲＦ）インターフェース７０９、ネットワーク接続インターフェース７１１、メモリ７１５（ランダムアクセスメモリ（ＲＡＭ）７１７、読出し専用メモリ（ＲＯＭ）７１９、および記憶媒体７２１などを含む）、通信サブシステム７３１、電源７３３、および／または他の任意の構成要素、あるいはそれらの任意の組み合わせに動作可能に連結された、処理回路構成７０１を含む。記憶媒体７２１は、オペレーティングシステム７２３、アプリケーションプログラム７２５、およびデータ７２７を含む。他の実施形態では、記憶媒体７２１は他の類似のタイプの情報を含んでもよい。特定のＵＥは、図７に示される構成要素の全て、または構成要素のサブセットのみを利用してもよい。構成要素間の統合レベルはＵＥごとに異なってもよい。更に、特定のＵＥは、複数のプロセッサ、メモリ、送受信機、送信機、受信機など、構成要素の複数の例を含んでもよい。
【００８８】
図７では、処理回路構成７０１は、コンピュータ命令およびデータを処理するように構成されてもよい。処理回路構成７０１は、１つもしくは複数のハードウェア実装状態機械（例えば、離散的な論理、ＦＰＧＡ、ＡＳＩＣなど）、適切なファームウェアを伴うプログラマブル論理、１つもしくは複数の格納されたプログラム、適切なソフトウェアを伴うマイクロプロセッサもしくはデジタル信号プロセッサ（ＤＳＰ）などの汎用プロセッサ、または上記のものの任意の組み合わせなど、機械可読コンピュータプログラムとしてメモリに格納された機械命令を実行するように動作可能な、任意の連続状態機械を実現するように構成されてもよい。例えば、処理回路構成７０１は２つの中央処理装置（ＣＰＵ）を含んでもよい。データは、コンピュータが使用するのに適した形態の情報であってもよい。
【００８９】
図示される実施形態では、入出力インターフェース７０５は、入力デバイス、出力デバイス、または入出力デバイスに対する通信インターフェースを提供するように構成されてもよい。ＵＥ  ７００は、入出力インターフェース７０５を介して出力デバイスを使用するように構成されてもよい。出力デバイスは、入力デバイスと同じタイプのインターフェースポートを使用してもよい。例えば、ＵＥ  ７００に対する入出力を提供するのに、ＵＳＢポートが使用されてもよい。出力デバイスは、スピーカー、サウンドカード、ビデオカード、ディスプレイ、モニタ、プリンタ、アクチュエータ、エミッタ、スマートカード、別の出力デバイス、またはそれらの任意の組み合わせであってもよい。ＵＥ  ７００は、入出力インターフェース７０５を介して入力デバイスを使用して、ユーザがＵＥ  ７００への情報を捕捉することを可能にするように構成されてもよい。入力デバイスは、タッチセンサ式または存在センサ式ディスプレイ、カメラ（例えば、デジタルカメラ、デジタルビデオカメラ、ウェブカメラなど）、マイクロフォン、センサ、マウス、トラックボール、指向性パッド、トラックパッド、スクロールホイール、スマートカードなどを含んでもよい。存在センサ式ディスプレイは、ユーザからの入力を感知する、容量性または抵抗性タッチセンサを含んでもよい。センサは、例えば、加速度計、ジャイロスコープ、傾きセンサ、力センサ、磁力計、光学センサ、近接センサ、別の同様のセンサ、またはそれらの任意の組み合わせであってもよい。例えば、入力デバイスは、加速度計、磁力計、デジタルカメラ、マイクロフォン、および光学センサであってもよい。
【００９０】
図７では、ＲＦインターフェース７０９は、通信インターフェースを、送信機、受信機、およびアンテナなどのＲＦ構成要素に提供するように構成されてもよい。ネットワーク接続インターフェース７１１は、通信インターフェースをネットワーク７４３ａに提供するように構成されてもよい。ネットワーク７４３ａは、ローカルエリアネットワーク（ＬＡＮ）、広域ネットワーク（ＷＡＮ）、コンピュータネットワーク、無線ネットワーク、電気通信ネットワーク、他の類似のネットワーク、またはそれらの任意の組み合わせなど、有線および／または無線ネットワークを包含してもよい。例えば、ネットワーク７４３ａはＷｉＦｉネットワークを含んでもよい。ネットワーク接続インターフェース７１１は、イーサネット、ＴＣＰ／ＩＰ、ＳＯＮＥＴ、ＡＴＭなど、１つまたは複数の通信プロトコルにしたがって、通信ネットワークを通じて１つもしくは複数の他のデバイスと通信するのに使用される、受信機および送信機インターフェースを含むように構成されてもよい。ネットワーク接続インターフェース７１１は、通信ネットワークリンク（例えば、光学、電気など）に適切な受信機および送信機の機能性を実現してもよい。送信機および受信機機能は、回路構成要素、ソフトウェア、もしくはファームウェアを共有してもよく、あるいは別個に実現されてもよい。
【００９１】
ＲＡＭ  ７１７は、バス７０２を介して処理回路構成７０１にインターフェース接続して、オペレーティングシステム、アプリケーションプログラム、およびデバイスドライバなどのソフトウェアプログラムを実行する間、データまたはコンピュータ命令を格納またはキャッシングするように構成されてもよい。ＲＯＭ  ７１９は、コンピュータ命令またはデータを処理回路構成７０１に提供するように構成されてもよい。例えば、ＲＯＭ  ７１９は、基本的入出力（Ｉ／Ｏ）、起動、または不揮発性メモリに格納されたキーボードからのキーストロークの受信など、基本的なシステム機能に対する不変の低レベルシステムコードまたはデータを格納するように構成されてもよい。記憶媒体７２１は、ＲＡＭ、ＲＯＭ、プログラマブル読出し専用メモリ（ＰＲＯＭ）、消去可能プログラマブル読出し専用メモリ（ＥＰＲＯＭ）、電気的消去可能プログラマブル読出し専用メモリ（ＥＥＰＲＯＭ）、磁気ディスク、光学ディスク、フロッピーディスク、ハードディスク、取外し可能カートリッジ、またはフラッシュドライブなどのメモリを含むように構成されてもよい。一例では、記憶媒体７２１は、オペレーティングシステム７２３、ウェブブラウザアプリケーションなどのアプリケーションプログラム７２５、ウィジェットもしくはガジェットエンジンまたは別のアプリケーション、およびデータファイル７２７を含むように構成されてもよい。記憶媒体７２１は、ＵＥ  ７００が使用するため、多種多様の様々なオペレーティングシステムまたはオペレーティングシステムの組み合わせのいずれかを格納してもよい。
【００９２】
記憶媒体７２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光学ディスクドライブ、内部ハードディスクドライブ、ブルーレイ光学ディスクドライブ、ホログラフィックデジタルデータストーレージ（ＨＤＤＳ）光学ディスクドライブ、外部ミニデュアルインラインメモリモジュール（ＤＩＭＭ），同期式動的ランダムアクセスメモリ（ＳＤＲＡＭ）、外部マイクロＤＩＭＭ  ＳＤＲＡＭ、スマートカードメモリ（加入者識別モジュールもしくはリムーバブルユーザ識別（ＳＩＭ／ＲＵＩＭ）モジュール）、他のメモリ、またはそれらの任意の組み合わせなど、多数の物理的ドライブユニットを含むように構成されてもよい。記憶媒体７２１によって、ＵＥ  ７００が、一時的もしくは非一時的メモリ媒体に格納された、コンピュータ実行可能命令、アプリケーションプログラムなどにアクセスするか、データをオフロードするか、またはデータをアップロードすることが可能になってもよい。通信システムを利用するものなどの製品は、デバイス可読媒体を含んでもよい、記憶媒体７２１の形で有形的に具体化されてもよい。
【００９３】
図７では、処理回路構成７０１は、通信サブシステム７３１を使用してネットワーク７４３ｂと通信するように構成されてもよい。ネットワーク７４３ａおよびネットワーク７４３ｂは、同じネットワークまたは異なるネットワークであってもよい。通信サブシステム７３１は、ネットワーク７４３ｂと通信するのに使用される１つまたは複数の送受信機を含むように構成されてもよい。例えば、通信サブシステム７３１は、ＩＥＥＥ  ８０２．５、ＣＤＭＡ、ＷＣＤＭＡ、ＧＳＭ、ＬＴＥ、ＵＴＲＡＮ、ＷｉＭａｘなどの１つまたは複数の通信プロトコルにしたがって、別のＷＤ、ＵＥ、または無線アクセスネットワーク（ＲＡＮ）の基地局など、無線通信することができる別のデバイスの１つまたは複数のリモート送受信機と通信するのに使用される、１つまたは複数の送受信機を含むように構成されてもよい。各送受信機は、ＲＡＮリンクに適した送信機または受信機の機能性（例えば、周波数割当てなど）をそれぞれ実現する、送信機７３３および／または受信機７３５を含んでもよい。更に、各送受信機の送信機７３３および受信機７３５は、回路構成要素、ソフトウェア、もしくはファームウェアを共有してもよく、あるいは別個に実現されてもよい。
【００９４】
図示される実施形態では、通信サブシステム７３１の通信機能は、データ通信、音声通信、マルチメディア通信、ブルートゥースなどの近距離通信、近接場通信、位置を決定するのに全地球測位システム（ＧＰＳ）を使用するものなどの位置依存型通信、別の類似の通信機能、またはそれらの任意の組み合わせを含んでもよい。例えば、通信サブシステム７３１は、セルラー通信、ＷｉＦｉ通信、ブルートゥース通信、およびＧＰＳ通信を含んでもよい。ネットワーク７４３ｂは、ローカルエリアネットワーク（ＬＡＮ）、広域ネットワーク（ＷＡＮ）、コンピュータネットワーク、無線ネットワーク、電気通信ネットワーク、別の類似のネットワーク、またはそれらの任意の組み合わせなど、有線および／または無線ネットワークを包含してもよい。例えば、ネットワーク７４３ｂは、セルラーネットワーク、ＷｉＦｉネットワーク、および／または近接場ネットワークであってもよい。電源７１３は、交流（ＡＣ）または直流（ＤＣ）電力をＵＥ  ７００の構成要素に提供するように構成されてもよい。
【００９５】
本明細書に記載する特徴、利益、および／または機能は、ＵＥ  ７００の構成要素の１つで実現されてもよく、またはＵＥ  ７００の複数の構成要素にわたって分割されてもよい。更に、本明細書に記載する特徴、利益、および／または機能は、ハードウェア、ソフトウェア、またはファームウェアの任意の組み合わせで実現されてもよい。一例では、通信サブシステム７３１は、本明細書に記載する構成要素のいずれかを含むように構成されてもよい。更に、処理回路構成７０１は、バス７０２を通じてかかる構成要素のいずれかと通信するように構成されてもよい。別の例では、かかる構成要素のいずれかは、処理回路構成７０１によって実行されると、本明細書に記載される対応する機能を実施する、メモリに格納されたプログラム命令によって表されてもよい。別の例では、かかる構成要素のいずれかの機能性は、処理回路構成７０１と通信サブシステム７３１との間で分割されてもよい。別の例では、かかる構成要素のいずれかの非コンピュータ集約的機能は、ソフトウェアまたはファームウェアの形で実現されてもよく、コンピュータ集約的機能はハードウェアの形で実現されてもよい。
【００９６】
図８は、特定の実施形態による、仮想化環境の一例を示している。図８は、いくつかの実施形態によって実現される機能が仮想化されてもよい、仮想化環境８００を示す概略ブロック図である。この文脈では、仮想化とは、ハードウェアプラットフォーム、記憶デバイス、およびネットワーキングリソースを仮想化することを含んでもよい、装置またはデバイスを仮想化したものを作成することを意味する。本明細書で使用するとき、仮想化は、ノード（例えば、仮想化基地局もしくは仮想化無線アクセスノード）、あるいはデバイス（例えば、ＵＥ、無線デバイス、もしくは他の任意のタイプの通信デバイス）またはその構成要素に適用することができ、機能性の少なくとも一部分が（例えば、１つまたは複数のネットワークにおいて１つまたは複数の物理的処理ノードで実行する、１つもしくは複数のアプリケーション、コンポーネント、機能、仮想機械、またはコンテナを介して）１つまたは複数の仮想構成要素として実現される実現例に関する。
【００９７】
いくつかの実施形態では、本明細書に記載する機能の一部または全ては、１つまたは複数のハードウェアノード８３０がホストする１つまたは複数の仮想環境８００において実現される、１つまたは複数の仮想機械によって実行される仮想構成要素として実現されてもよい。更に、仮想ノードが無線アクセスノードではなく、無線接続性（例えば、コアネットワークノード）を要しない実施形態では、ネットワークノードは全体的に仮想化されてもよい。
【００９８】
機能は、本明細書に開示する実施形態のうちいくつかの特徴、機能、および／または利益の一部を実現するように動作する、１つまたは複数のアプリケーション８２０（あるいは、ソフトウェアインスタンス、仮想アプライアンス、ネットワーク機能、仮想ノード、仮想ネットワーク機能などと呼ばれることがある）によって実現されてもよい。アプリケーション８２０は、処理回路構成８６０およびメモリ８９０を備えるハードウェア８３０を提供する仮想化環境８００で稼動する。メモリ８９０は、処理回路構成８６０によって実行可能な命令８９５を含み、それによってアプリケーション８２０は、本明細書に開示する特徴、利益、および／または機能の１つもしくは複数を提供するように動作する。
【００９９】
仮想化環境８００は、商用オフザシェルフ（ＣＯＴＳ）プロセッサ、専用特定用途向け集積回路（ＡＳＩＣ）、あるいはデジタルもしくはアナログハードウェア構成要素または専用プロセッサを含む他の任意のタイプの処理回路構成であってもよい、１つもしくは複数のプロセッサまたは処理回路構成８６０のセットを備える、汎用または専用ネットワークハードウェアデバイス８３０を備える。各ハードウェアデバイスは、処理回路構成８６０によって実行される命令８９５またはソフトウェアを一時的に格納する非永続的メモリであってもよい、メモリ８９０−１を備えてもよい。各ハードウェアデバイスは、物理的ネットワークインターフェース８８０を含む、ネットワークインターフェースカードとしても知られる、１つまたは複数のネットワークインターフェースコントローラ（ＮＩＣ）８７０を備えてもよい。各ハードウェアデバイスはまた、処理回路構成８６０によって実行可能なソフトウェア８９５および／または命令が格納された、非一時的な永続的機械可読記憶媒体８９０−２を含んでもよい。ソフトウェア８９５は、１つまたは複数の仮想化レイヤ８５０（ハイパーバイザーとも呼ばれる）をインスタンス化するソフトウェア、仮想機械８４０を実行するソフトウェア、ならびに本明細書に記載するいくつかの実施形態に関連して記載される機能、特徴、および／または利益を実行することを可能にするソフトウェアを含む、任意のタイプのソフトウェアを含んでもよい。
【０１００】
仮想機械８４０は、仮想処理、仮想メモリ、仮想ネットワーキングまたはインターフェース、および仮想記憶装置を含み、対応する仮想化レイヤ８５０またはハイパーバイザーによって稼動してもよい。仮想アプライアンス８２０のインスタンスの異なる実施形態は、仮想機械８４０の１つまたは複数で実現されてもよく、実現は異なる形で行われてもよい。
【０１０１】
動作中、処理回路構成８６０は、場合によっては仮想機械モニタ（ＶＭＭ）と呼ばれることがある、ハイパーバイザーまたは仮想化レイヤ８５０をインスタンス化するソフトウェア８９５を実行する。仮想化レイヤ８５０は、仮想機械８４０に対するネットワーキングハードウェアのように見える、仮想オペレーティングプラットフォームを提供してもよい。
【０１０２】
図８に示されるように、ハードウェア８３０は、一般または特定構成要素を備えた独立型ネットワークノードであってもよい。ハードウェア８３０は、アンテナ８２２５を備えてもよく、仮想化によって一部の機能を実現してもよい。あるいは、ハードウェア８３０は、多くのハードウェアノードが共に働き、中でも特にアプリケーション８２０のライフサイクル管理を監督する、管理およびオーケストレーション（ＭＡＮＯ）８１００を介して管理される、ハードウェアの（例えば、データセンタもしくはカスタマー構内設備（ＣＰＥ）における）より大きいクラスタの一部であってもよい。
【０１０３】
ハードウェアの仮想化は、文脈によっては、ネットワーク機能仮想化（ＮＦＶ）と呼ばれる。ＮＦＶは、多くのネットワーク機器タイプを、業界標準の大容量サーバハードウェア、物理的スイッチ、ならびにデータセンタおよびカスタマー構内設備に位置することができる物理的記憶装置上へと統合するのに使用されてもよい。
【０１０４】
ＮＦＶの文脈では、仮想機械８４０は、物理的な非仮想化機械で実行しているかのようにプログラムを走らせる、物理的機械のソフトウェア実現例であってもよい。各仮想機械８４０、およびその仮想機械を実行するハードウェア８３０の部分は、その仮想機械専用のハードウェアであり、ならびに／あるいはその仮想機械と他の仮想機械８４０とで共有されるハードウェアは、別個の仮想ネットワーク要素（ＶＮＥ）を形成する。
【０１０５】
やはりＮＦＶの文脈では、仮想ネットワーク機能（ＶＮＦ）は、ハードウェアネットワーキングインフラストラクチャ８３０の最上位にある１つまたは複数の仮想機械８４０で稼動する特定のネットワーク機能の取り扱いに関与し、図８のアプリケーション８２０に相当する。
【０１０６】
いくつかの実施形態では、１つまたは複数の送信機８２２０および１つまたは複数の受信機８２１０をそれぞれ含む、１つまたは複数の無線ユニット８２００は、１つまたは複数のアンテナ８２２５に結合されてもよい。無線ユニット８２００は、１つまたは複数の適切なネットワークインターフェースを介してハードウェアノード８３０と直接通信してもよく、仮想ノードに無線アクセスノードまたは基地局などの無線能力を提供する、仮想構成要素との組み合わせで使用されてもよい。
【０１０７】
いくつかの実施形態では、一部のシグナリングは、ハードウェアノード８３０と無線ユニット８２００との間の通信に代わりに使用されてもよい、制御システム８２３０を使用することによって実施することができる。
【０１０８】
図９は、いくつかの実施形態による、中間ネットワークを介してホストコンピュータに接続される電気通信ネットワークの一例を示している。図９を参照すると、一実施形態によれば、通信システムは、無線アクセスネットワークなどのアクセスネットワーク９１１とコアネットワーク９１４とを含む、３ＧＰＰタイプのセルラーネットワークなどの電気通信ネットワーク９１０を含む。アクセスネットワーク９１１は、対応するカバレッジエリア９１３ａ、９１３ｂ、９１３ｃをそれぞれ規定する、ＮＢ、ｅＮＢ、ｇＮＢ、または他のタイプの無線アクセスポイントなど、複数の基地局９１２ａ、９１２ｂ、９１２ｃを備える。特定の実施形態では、複数の基地局９１２ａ、９１２ｂ、９１２ｃは、図１５に関して記載するようなＣＵおよびＤＵの機能性を実施してもよい。各基地局９１２ａ、９１２ｂ、９１２ｃは、有線または無線接続９１５を通じてコアネットワーク９１４に接続可能である。カバレッジエリア９１３ｃに位置する第１のＵＥ  ９９１は、対応する基地局９１２ｃに無線接続するように、またはそれによってページングされるように構成される。カバレッジエリア９１３ａのＵＥ  ９９２は、対応する基地局９１２ａに無線接続可能である。この例では複数のＵＥ  ９９１、９９２が示されているが、開示される実施形態は、単一のＵＥがカバレッジエリアにあるか、または単一のＵＥが対応する基地局９１２に接続している状況に等しく適用可能である。
【０１０９】
電気通信ネットワーク９１０自体は、スタンドアロンサーバ、クラウド実装サーバ、分散サーバのハードウェアおよび／またはソフトウェアの形で、あるいはサーバファームの処理リソースとして具体化されてもよい、ホストコンピュータ９３０に接続される。ホストコンピュータ９３０は、サービスプロバイダの所有もしくは制御下にあってもよく、またはサービスプロバイダによって、もしくはサービスプロバイダに代わって操作されてもよい。電気通信ネットワーク９１０とホストコンピュータ９３０との間の接続９２１および９２２は、コアネットワーク９１４からホストコンピュータ９３０まで直接延在してもよく、または任意の中間ネットワーク９２０を介して通ってもよい。中間ネットワーク９２０は、公衆、私設、もしくはホストされたネットワークの１つ、または１つを超えるものの組み合わせであってもよく、中間ネットワーク９２０がある場合、バックボーンネットワークまたはインターネットであってもよく、中間ネットワーク９２０は、２つ以上のサブネットワーク（図示なし）を含んでもよい。
【０１１０】
図９の通信システム全体は、接続されたＵＥ  ９９１、９９２とホストコンピュータ９３０との間の接続性を可能にする。接続性は、オーバーザトップ（ＯＴＴ）接続９５０として説明されてもよい。ホストコンピュータ９３０および接続されたＵＥ  ９９１、９９２は、アクセスネットワーク９１１、コアネットワーク９１４、任意の中間ネットワーク９２０、および場合によっては仲介物としての更なるインフラストラクチャ（図示なし）を使用して、ＯＴＴ接続９５０を介してデータおよび／またはシグナリングを通信するように構成される。ＯＴＴ接続９５０は、ＯＴＴ接続９５０が通っている関与する通信デバイスが、アップリンクおよびダウンリンク通信の経路指定を意識していないという意味で透過である。例えば、基地局９１２は、ホストコンピュータ９３０からのデータが接続されたＵＥ  ９９１に転送される（例えば、ハンドオーバーされる）、入ってくる通信の過去の経路指定に関して通知されなくてもよいか、または通知される必要がない。同様に、基地局９１２は、ＵＥ  ９９１からホストコンピュータ９３０に向かう、出て行くアップリンク通信の今後の経路指定を意識する必要はない。
【０１１１】
図１０は、いくつかの実施形態による、部分的に無線接続を通じて基地局を介してユーザ機器と通信しているホストコンピュータの一例を示している。次に、一実施形態による、上述のパラグラフで考察したＵＥ、基地局およびホストコンピュータの例示の実現例について、図１０を参照して記載する。通信システム１０００では、ホストコンピュータ１０１０は、通信システム１０００の異なる通信デバイスのインターフェースとの有線または無線接続を設定し維持するように構成された、通信インターフェース１０１６を含むハードウェア１０１５を備える。ホストコンピュータ１０１０は、記憶および／または処理能力を有してもよい、処理回路構成１０１８を更に備える。特に、処理回路構成１０１８は、１つもしくは複数のプラグラマブルプロセッサ、特定用途向け集積回路、フィールドプログラマブルゲートアレイ、または命令を実行するように適合されたこれらの組み合わせ（図示なし）を含んでもよい。ホストコンピュータ１０１０は、ホストコンピュータ１０１０に格納されるかそれによってアクセス可能であり、処理回路構成１０１８によって実行可能である、ソフトウェア１０１１を更に備える。ソフトウェア１０１１はホストアプリケーション１０１２を含む。ホストアプリケーション１０１２は、ＵＥ  １０３０およびホストコンピュータ１０１０で終端するＯＴＴ接続１０５０を介して接続するＵＥ  １０３０などのリモートユーザに、サービスを提供するように動作可能であってもよい。サービスをリモートユーザに提供する際、ホストアプリケーション１０１２は、ＯＴＴ接続１０５０を使用して送信されるユーザデータを提供してもよい。
【０１１２】
通信システム１０００は、電気通信システムに提供され、ホストコンピュータ１０１０およびＵＥ  １０３０と通信できるようにするハードウェア１０２５を備える、基地局１０２０を更に含む。特定の実施形態では、基地局１０２０は、図１５に示されるＣＵであってもよい。特定の実施形態では、基地局１０２０は、図１５に示されるＤＵであってもよい。ハードウェア１０２５は、通信システム１０００の異なる通信デバイスのインターフェースとの有線または無線接続を設定し維持する通信インターフェース１０２６、ならびに基地局１０２０がサーブするカバレッジエリア（図１０には図示なし）に位置するＵＥ  １０３０との少なくとも無線接続１０７０を設定し維持する無線インターフェース１０２７を含んでもよい。通信インターフェース１０２６は、ホストコンピュータ１０１０への接続１０６０を容易にするように構成されてもよい。接続１０６０は、直接であってもよく、または電気通信システムのコアネットワーク（図１０には図示なし）、および／または電気通信システム外の１つもしくは複数の中間ネットワークを通過してもよい。図示される実施形態では、基地局１０２０のハードウェア１０２５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成１０２８を更に含む。別の実施形態では、基地局１０２０のハードウェア１０２５は、ＣＵの機能を実施する別の処理回路構成を更に含む。いくつかの実施形態では、基地局１０２０はＣＵの構成要素を備えてもよい。基地局１０２０は、内部に格納されるか、または外部接続を介してアクセス可能な、ソフトウェア１０２１を更に有する。いくつかの実施形態による基地局１０２０の更なる説明が、図１５に示されている。
【０１１３】
通信システム１０００は、既に言及したＵＥ  １０３０を更に含む。そのハードウェア１０３５は、ＵＥ  １０３０が現在位置しているカバレッジエリアにサーブする基地局との無線接続１０７０を設定し維持するように設定された、無線インターフェース１０３７を含んでもよい。ＵＥ  １０３０のハードウェア１０３５は、１つもしくは複数のプログラマブルプロセッサ、特定用途向け集積回路、フィールドプログラマブルゲートアレイ、または命令を実行するように適合されたこれらの組み合わせ（図示なし）を含んでもよい、処理回路構成１０３８を更に含む。ＵＥ  １０３０は、ＵＥ  １０３０に格納されるかそれによってアクセス可能であり、処理回路構成１０３８によって実行可能である、ソフトウェア１０３１を更に備える。ソフトウェア１０３１はクライアントアプリケーション１０３２を含む。クライアントアプリケーション１０３２は、ホストコンピュータ１０１０が対応しているＵＥ  １０３０を介して人間または人間以外のユーザにサービスを提供するように動作可能であってもよい。ホストコンピュータ１０１０では、実行中のホストアプリケーション１０１２は、ＵＥ  １０３０およびホストコンピュータ１０１０で終端するＯＴＴ接続１０５０を介して、実行中のクライアントアプリケーション１０３２と通信してもよい。サービスをユーザに提供する際、クライアントアプリケーション１０３２は、要求データをホストアプリケーション１０１２から受信し、要求データに応答してユーザデータを提供してもよい。ＯＴＴ接続１０５０は、要求データおよびユーザデータの両方を転送してもよい。クライアントアプリケーション１０３２は、ユーザと相互作用して、提供するユーザデータを生成してもよい。
【０１１４】
図１０に示されるホストコンピュータ１０１０、基地局１０２０、およびＵＥ  １０３０はそれぞれ、図９のホストコンピュータ９３０、基地局９１２ａ、９１２ｂ、９１２ｃの１つ、およびＵＥ  ９９１、９９２の１つと同様または同一であってもよいことが注目される。つまり、これらのエンティティの内部仕事は図１０に示されるようなものであってもよく、また独立して、周囲のネットワークトポロジーは図９のものであってもよい。
【０１１５】
図１０では、ＯＴＴ接続１０５０は、仲介デバイスおよびそれらのデバイスを介したメッセージの正確な経路指定に明示的に言及することなく、基地局１０２０を介したホストコンピュータ１０１０とＵＥ  １０３０との間の通信を示すため、抽象的に描かれている。ネットワークインフラストラクチャは、ＵＥ  １０３０から、またはホストコンピュータ１０１０を動作させるサービスプロバイダから、または両方から隠れるように構成されてもよい、経路指定を決定してもよい。ＯＴＴ接続１０５０がアクティブである間、ネットワークインフラストラクチャは更に、（例えば、ネットワークのロードバランシングの考慮または再構成に基づいて）経路指定を動的に変更する決定を行ってもよい。
【０１１６】
ＵＥ  １０３０と基地局１０２０との間の無線接続１０７０は、本開示を通して記載される実施形態の教示にしたがっている。様々な実施形態の１つまたは複数は、無線接続１０７０が最後のセグメントを形成するＯＴＴ接続１０５０を使用してＵＥ  １０３０に提供される、ＯＴＴサービスの性能を改善する。より正確には、これらの実施形態の教示は、送信バッファにおける冗長データの処理を改善し、それによって、無線リソース使用の効率改善（例えば、冗長データを送信しない）、ならびに新しいデータの受信における遅延の低減（例えば、バッファの冗長データを除去することによって、新しいデータをより早く送信することができる）などの利益を提供してもよい。
【０１１７】
測定手順は、データ転送率、レイテンシ、および１つまたは複数の実施形態を改善する際の他の因子を監視する目的のために提供されてもよい。更に、測定結果の変動に応答して、ホストコンピュータ１０１０とＵＥ  １０３０との間でＯＴＴ接続１０５０を再構成する任意のネットワーク機能性があってもよい。測定手順、および／またはＯＴＴ接続１０５０を再構成するネットワーク機能性は、ホストコンピュータ１０１０のソフトウェア１０１１およびハードウェア１０１５の形、またはＵＥ  １０３０のソフトウェア１０３１およびハードウェア１０３５の形で、または両方で実現されてもよい。実施形態では、センサ（図示なし）は、ＯＴＴ接続１０５０が通過する通信デバイスにおいて、またはそれと関連して展開されてもよく、センサは、上記に例示した監視量の値を供給することによって、または監視量を計算もしくは推定するのにソフトウェア１０１１、１０３１が用いる他の物理的量の値を供給することによって、測定手順に関与してもよい。ＯＴＴ接続１０５０の再構成は、メッセージ形式、再送信設定、好ましい経路指定などを含んでもよく、再構成は、基地局１０２０に必ずしも影響を及ぼさなくてもよく、基地局１０２０にとって未知または認識不能であってもよい。かかる手順および機能性は、当該分野において知られており実践されていることがある。特定の実施形態では、測定には、ホストコンピュータ１０１０がスループット、伝播時間、レイテンシなどを測定するのを容易にする、所有ＵＥシグナリングが関与してもよい。測定は、伝播時間、エラーなどを監視している状態のＯＴＴ接続１０５０を使用して、ソフトウェア１０１１および１０３１によってメッセージが、特に空または「ダミー」メッセージが送信されるという点で実現されてもよい。
【０１１８】
図１１は、特定の実施形態による、ホストコンピュータ、基地局、およびユーザ機器を含む通信システムにおいて実現される方法の一例を示している。より具体的には、図１１は、一実施形態による、通信システムにおいて実現される方法を示すフローチャートである。通信システムは、図９および１０を参照して記載したものであってもよい、ホストコンピュータ、基地局、およびＵＥを含む。本開示を簡潔にするため、図１１に対する参照のみを本セクションに含める。ステップ１１１０で、ホストコンピュータはユーザデータを提供する。ステップ１１１０のサブステップ１１１１（任意であってもよい）で、ホストコンピュータは、ホストアプリケーションを実行することによってユーザデータを提供する。ステップ１１２０で、ホストコンピュータは、ユーザデータをＵＥに伝達する送信を開始する。ステップ１１３０（任意であってもよい）で、基地局は、本開示全体を通して記載する実施形態の教示にしたがって、ホストコンピュータが開始した送信によって伝達されたユーザデータをＵＥに送信する。ステップ１１４０（やはり任意であってもよい）で、ＵＥは、ホストコンピュータが実行したホストアプリケーションと関連付けられたクライアントアプリケーションを実行する。
【０１１９】
図１２は、いくつかの実施形態による、ホストコンピュータ、基地局、およびユーザ機器を含む通信システムにおいて実現される方法の一例を示している。より具体的には、図１２は、一実施形態による、通信システムにおいて実現される方法を示すフローチャートである。通信システムは、図９および１０を参照して記載したものであってもよい、ホストコンピュータ、基地局、およびＵＥを含む。本開示を簡潔にするため、図１２に対する参照のみを本セクションに含める。方法のステップ１２１０で、ホストコンピュータはユーザデータを提供する。任意のサブステップ（図示なし）で、ホストコンピュータは、ホストアプリケーションを実行することによってユーザデータを提供する。ステップ１２２０で、ホストコンピュータは、ユーザデータをＵＥに伝達する送信を開始する。本開示を通して記載される実施形態の教示にしたがって、送信は基地局を介してもよい。ステップ１２３０（任意であってもよい）で、ＵＥは送信で伝達されるユーザデータを受信する。
【０１２０】
図１３は、いくつかの実施形態による、ホストコンピュータ、基地局、およびユーザ機器を含む通信システムにおいて実現される方法の別の更なる一例を示している。より具体的には、図１３は、一実施形態による、通信システムにおいて実現される方法を示すフローチャートである。通信システムは、図９および１０を参照して記載したものであってもよい、ホストコンピュータ、基地局、およびＵＥを含む。本開示を簡潔にするため、図１３に対する参照のみを本セクションに含める。ステップ１３１０（任意であってもよい）で、ＵＥはホストコンピュータによって提供される入力データを受信する。それに加えて、またはその代わりに、ステップ１３２０で、ＵＥはユーザデータを提供する。ステップ１３２０のサブステップ１３２１（任意であってもよい）で、ＵＥは、クライアントアプリケーションを実行することによってユーザデータを提供する。ステップ１３１０のサブステップ１３１１（任意であってもよい）で、ＵＥは、ホストコンピュータが提供した受信入力データに反応してユーザデータを提供する、クライアントアプリケーションを実行する。ユーザデータを提供する際、実行されたクライアントアプリケーションは、ユーザから受信するユーザ入力を更に考慮してもよい。ユーザデータが提供された特定の方式にかかわらず、ＵＥは、サブステップ１３３０（任意であってもよい）で、ホストコンピュータへのユーザデータの送信を開始する。方法のステップ１３４０で、ホストコンピュータは、本開示を通して記載される実施形態の教示にしたがって、ＵＥから送信されたユーザデータを受信する。
【０１２１】
図１４は、いくつかの実施形態による、ホストコンピュータ、基地局、およびユーザ機器を含む通信システムにおいて実現される方法の別の一例を示している。より具体的には、図１４は、一実施形態による、通信システムにおいて実現される方法を示すフローチャートである。通信システムは、図９および１０を参照して記載したものであってもよい、ホストコンピュータ、基地局、およびＵＥを含む。本開示を簡潔にするため、図１４に対する参照のみを本セクションに含める。ステップ１４１０（任意であってもよい）で、本開示を通して記載される実施形態の教示にしたがって、基地局はユーザデータをＵＥから受信する。ステップ１４２０（任意であってもよい）で、基地局は、ホストコンピュータに対する受信したユーザデータの送信を開始する。ステップ１４３０（任意であってもよい）で、ホストコンピュータは、基地局が開始した送信で伝達されるユーザデータを受信する。
【０１２２】
本明細書に開示する任意の適切なステップ、方法、特徴、機能、または利益は、１つまたは複数の仮想装置の１つまたは複数の機能的ユニットまたはモジュールによって実施されてもよい。各仮想装置は多数のこれらの機能的ユニットを備えてもよい。これらの機能的ユニットは、１つもしくは複数のマイクロプロセッサまたはマイクロコントローラを含んでもよい処理回路構成、ならびにデジタル信号プロセッサ（ＤＳＰ）、専用デジタル論理などを含んでもよい、他のデジタルハードウェアによって実現されてもよい。処理回路構成は、読出し専用メモリ（ＲＯＭ）、ランダムアクセスメモリ（ＲＡＭ）、キャッシュメモリ、フラッシュメモリドライブ、光学記憶デバイスなど、１つまたは複数のタイプのメモリを含んでもよい、メモリに格納されたプログラムコードを実行するように構成されてもよい。メモリに格納されたプログラムコードとしては、１つもしくは複数の電気通信および／またはデータ通信プロトコルを実行するプログラム命令、ならびに本明細書に記載される技術の１つもしくは複数を実施する命令が挙げられる。いくつかの実現例では、処理回路構成は、本開示の１つまたは複数の実施形態による対応する機能をそれぞれの機能的ユニットに実施させるのに使用されてもよい。
【０１２３】
図１５は、特定の実施形態による、ネットワークノードにおける方法のフロー図である。方法１５００は、ステップ１５１０で始まり、第２のネットワークノードで、第１のネットワークノードからのリソース調整メッセージを受信する。いくつかの実施形態では、リソース調整メッセージは、第１のネットワークノードがサーブする第１のセルを示す。いくつかの実施形態では、第１のネットワークノードは、第２のネットワークノードとは異なるＲＡＴを適用してもよい。いくつかの実施形態では、第１のネットワークノードはロングタームエボリューション（ＬＴＥ）を適用してもよく、第２のネットワークノードは新無線（ＮＲ）を適用してもよい。いくつかの実施形態では、第１のネットワークノードはｅＮＢであってもよく、第２のネットワークノードはｇＮＢであってもよい。いくつかの実施形態では、第１および第２のネットワークノードは、図５に示されるネットワークノードであってもよい。いくつかの実施形態では、第１および第２のネットワークノードは、図１０に示される基地局であってもよい。いくつかの実施形態では、第２のネットワークノードは、中央ユニット（ＣＵ）とＣＵに結合された複数の分散ユニット（ＤＵ）とを備えてもよい。
【０１２４】
ステップ１５２０で、第２のネットワークノードのＣＵは、リソース割当てメッセージに基づいて、第１のセルと第２のネットワークにおいてＤＵがサーブする複数の第２のセルとの間における、リソースの調整の必要を識別する。いくつかの実施形態では、リソース調整メッセージは、第１のセルが少なくとも１つの第２のセルとリソースを共有することを示してもよい。いくつかの実施形態では、リソース調整メッセージは、第１のセルが、第２のセルが使用している少なくとも１つのリソースに隣接したリソースを使用することを示してもよい。いくつかの実施形態では、リソース調整メッセージはビットマップとして表されてもよい。ビットマップの各ビットは時間周波数リソースに対応してもよい。いくつかの実施形態では、リソース調整メッセージは、分析的記述、またはリソース調整メッセージの情報を伝達する他の任意の適切な手段として表されてもよい。
【０１２５】
ステップ１５３０で、第２のネットワークノードのＣＵは、リソース割当てメッセージに基づいて、第２のネットワークノードのＤＵがサーブする第２のセルに対する、少なくとも１つのリソース割当てを調整する。いくつかの実施形態では、第２のネットワークノードのＣＵは、第１のセルと第２のセルとの間の隣接関係を推論し、少なくとも１つの第２のセルから第１のセルに対応する隣接セルを検出し、隣接セルの少なくとも１つのＤＵを識別し、リソース調整メッセージを隣接セルのＤＵに転送し、リソース調整メッセージに基づいて、隣接セルのＤＵによって計算された少なくとも１つのリソース割当てを受信することによって、リソース割当てを調整してもよい。いくつかの実施形態では、リソース割当ては、第２のネットワークノードがサーブするＵＥにサーブするための設定を示してもよい。
【０１２６】
ステップ１５４０で、第２のネットワークノードのＣＵは、少なくとも１つのリソース割当てをアグリゲートして、リソース割当てメッセージとする。いくつかの実施形態では、第２のネットワークノードのＣＵは、少なくとも２つのリソース割当てをアグリゲートして、単一のリソース割当てメッセージとする。いくつかの実施形態では、リソース調整メッセージはビットマップとして表されてもよい。ビットマップの各ビットは時間周波数リソースに対応してもよい。いくつかの実施形態では、リソース調整メッセージは、分析的記述、またはリソース調整メッセージの情報を伝達する他の任意の適切な手段として表されてもよい。
【０１２７】
ステップ１５５０で、第２のネットワークノードのＣＵは、リソース割当てメッセージを第１のネットワークノードに転送する。いくつかの実施形態では、リソース割当てメッセージは、第２のセルおよび追加のセルの識別情報と、第２のセルおよび追加のセルに対する対応するリソース割当てとを含んでもよい。いくつかの実施形態では、第２のネットワークノードのＣＵは、第１のセルにおける修正されたリソース割当てを示す修正メッセージを第１のネットワークノードから受信してもよい。修正されたリソース割当ては、リソース割当てメッセージに基づいて作られてもよい。いくつかの実施形態では、第２のネットワークノードのＣＵは更に、第２のネットワークノードにおける第２のセルのいずれかが第１のセルに対する直接隣接セルであるか否かを判定し、第２のネットワークにおける第２のセルが第１のセルに対する直接隣接セルである場合、第２のネットワークノードによって使用されるリソースを分割してもよい。いくつかの実施形態では、リソース割当てメッセージを受信した後、第１のネットワークノードは更に、リソース割当てメッセージに基づいて、第２のネットワークノードによって割り当てられている少なくとも１つのリソースを識別し、第２のネットワークノードによって割り当てられているリソースに基づいて、第１のセルにおけるリソース割当てを修正し、第２のネットワークノードに、第１のセルにおけるリソース割当ての修正を示す修正メッセージを伝送してもよい。
【０１２８】
図１６は、特定の実施形態による、例示のネットワークノードを示す概略ブロック図である。ネットワークノード１６００は、無線ネットワーク（例えば、図５に示される無線ネットワーク）で使用されてもよい。ネットワークノード１６００は、無線デバイス（例えば、図５に示される無線デバイス５１０）で実現されてもよい。ネットワークノード１６００は、図１５を参照して記載される例示の方法、および場合によっては本明細書に開示される他の任意のプロセスまたは方法を実施するように動作可能である。また、図１５の方法は必ずしもネットワークノード１６００のみによって実施されなくてもよいことが理解されるべきである。方法の少なくともいくつかの動作は、１つまたは複数の他のエンティティによって実施することができる。
【０１２９】
ネットワークノード１６００は、１つもしくは複数のマイクロプロセッサまたはマイクロコントローラを含んでもよい、処理回路構成、ならびにデジタル信号プロセッサ（ＤＳＰ）、専用デジタル論理などを含んでもよい、他のデジタルハードウェアを備えてもよい。いくつかの実施形態では、ネットワークノード１６００の処理回路構成は、図５に示される処理回路構成５７０であってもよい。処理回路構成は、読出し専用メモリ（ＲＯＭ）、ランダムアクセスメモリ、キャッシュメモリ、フラッシュメモリデバイス、光学記憶デバイスなど、１つまたは複数のタイプのメモリを含んでもよい、メモリに格納されたプログラムコードを実行するように構成されてもよい。メモリに格納されたプログラムコードとしては、１つまたは複数の電気通信および／またはデータ通信プロトコルを実行するプログラム命令、ならびにいくつかの実施形態において本明細書に記載される技術の１つまたは複数を実施する命令が挙げられる。いくつかの実現例では、処理回路構成は、受信ユニット１６１０、識別ユニット１６２０、調整ユニット１６３０、アグリゲートユニット１６４０、転送ユニット１６５０、およびネットワークノード１６００の他の任意の適切なユニットに、送信機、受信機、またはプロセッサなど、本開示の１つまたは複数の実施形態による対応する機能を実施させるのに使用されてもよい。
【０１３０】
図１６に示されるように、ネットワークノード１６００は、受信ユニット１６１０と、識別ユニット１６２０と、調整ユニット１６３０と、アグリゲートユニット１６４０と、転送ユニット１６５０とを含む。受信ユニット１６１０は、リソース調整メッセージを第１のネットワークノードから受信するように設定されてもよい。いくつかの実施形態では、リソース調整メッセージは、第１のネットワークノードがサーブする第１のセルを示してもよい。いくつかの実施形態では、第１のネットワークノードは、ネットワークノード１６００とは異なるＲＡＴを適用してもよい。いくつかの実施形態では、第１のネットワークノードはＬＴＥを適用してもよく、ネットワークノード１６００はＮＲを適用してもよい。いくつかの実施形態では、第１のネットワークノードはｅＮＢであってもよく、ネットワークノード１６００はｇＮＢであってもよい。いくつかの実施形態では、第１のネットワークノードおよびネットワークノード１６００は、図５に示されるネットワークノードであってもよい。いくつかの実施形態では、第１のネットワークノードおよびネットワークノード１６００は、図１０に示される基地局であってもよい。いくつかの実施形態では、ネットワークノード１６００は、ＣＵとＣＵに結合された複数のＤＵとを備えてもよい。
【０１３１】
識別ユニット１６２０は、リソース割当てメッセージに基づいて、第１のセルとネットワークノード１６００におけるＤＵがサーブする複数の第２のセルとの間におけるリソースの調整の必要を識別するように設定されてもよい。いくつかの実施形態では、リソース調整メッセージは、第１のセルが少なくとも１つの第２のセルとリソースを共有することを示してもよい。いくつかの実施形態では、リソース調整メッセージは、第１のセルが、第２のセルが使用している少なくとも１つのリソースに隣接したリソースを使用することを示してもよい。いくつかの実施形態では、リソース調整メッセージはビットマップとして表されてもよい。ビットマップの各ビットは時間周波数リソースに対応してもよい。いくつかの実施形態では、リソース調整メッセージは、分析的記述、またはリソース調整メッセージの情報を伝達する他の任意の適切な手段として表されてもよい。
【０１３２】
調整ユニット１６３０は、リソース割当てメッセージに基づいて、ネットワークノード１６００のＤＵがサーブする第２のセルに対する、少なくとも１つのリソース割当てを調整するように設定されてもよい。いくつかの実施形態では、ネットワークノード１６００のＣＵは、第１のセルと第２のセルとの間の隣接関係を推論し、少なくとも１つの第２のセルから第１のセルに対応する隣接セルを検出し、隣接セルの少なくとも１つのＤＵを識別し、リソース調整メッセージを隣接セルのＤＵに転送し、リソース調整メッセージに基づいて、隣接セルのＤＵによって計算された少なくとも１つのリソース割当てを受信することによって、リソース割当てを調整してもよい。いくつかの実施形態では、リソース割当ては、ネットワークノード１６００がサーブするＵＥにサーブするための設定を示してもよい。
【０１３３】
アグリゲートユニット１６４０は、少なくとも１つのリソース割当てをアグリゲートして、リソース割当てメッセージとするように設定されてもよい。いくつかの実施形態では、アグリゲートユニット１６４０は、少なくとも２つのリソース割当てをアグリゲートして、単一のリソース割当てメッセージとしてもよい。いくつかの実施形態では、リソース調整メッセージはビットマップとして表されてもよい。ビットマップの各ビットは時間周波数リソースに対応してもよい。いくつかの実施形態では、リソース調整メッセージは、分析的記述、またはリソース調整メッセージの情報を伝達する他の任意の適切な手段として表されてもよい。
【０１３４】
転送ユニット１６５０は、リソース割当てメッセージを第１のネットワークノードに転送するように設定されてもよい。いくつかの実施形態では、リソース割当てメッセージは、第２のセルおよび追加のセルの識別情報と、第２のセルおよび追加のセルに対する対応するリソース割当てとを含んでもよい。いくつかの実施形態では、ネットワークノード１６００は、第１のセルにおける修正されたリソース割当てを示す修正メッセージを第１のネットワークノードから受信してもよい。修正されたリソース割当ては、リソース割当てメッセージに基づいて作られてもよい。いくつかの実施形態では、ネットワークノード１６００は更に、第２のネットワークノードにおける第２のセルのいずれかが第１のセルに対する直接隣接セルであるか否かを判定し、第２のネットワークにおける第２のセルが第１のセルに対する直接隣接セルである場合、第２のネットワークノードによって使用されるリソースを分割してもよい。いくつかの実施形態では、リソース割当てメッセージを受信した後、第１のネットワークノードは更に、リソース割当てメッセージに基づいて、ネットワークノード１６００によって割り当てられている少なくとも１つのリソースを識別し、ネットワークノード１６００によって割り当てられているリソースに基づいて、第１のセルにおけるリソース割当てを修正し、ネットワークノード１６００に、第１のセルにおけるリソース割当ての修正を示す修正メッセージを伝送してもよい。
【０１３５】
ユニットという用語は、エレクトロニクス、電気デバイス、および／または電子デバイスの分野における従来の意味を有してもよく、例えば、本明細書に記載されるような、それぞれのタスク、手順、計算、出力、および／または表示機能などを実施する、電気および／または電子回路構成、デバイス、モジュール、プロセッサ、メモリ、論理固体および／または離散的デバイス、コンピュータプログラムまたは命令を含んでもよい。
【０１３６】
様々な実施形態によれば、本明細書における特徴の利点は、どのリソースが利用可能かをＣＵが認知する、分散基地局のＲＡＴ間リソース共有の課題を解決する。つまり、ＣＵは、どのリソースが隣接ＲＡＴによって割り当てられているかを学習し、そのＤＵのうちどれが、リソース割当て情報がシグナリングされた隣接ＲＡＴ基地局およびそのセルに隣接しているかを判定する。多数のＤＵが対象の隣接ＲＡＴセルに隣接していると判定することによって、ＣＵは、隣接する基地局とのリソース共有の候補であるＤＵを決定する。次に、ＣＵは、隣接ＲＡＴ基地局から受信した割当てリソースに関する情報を、関連するＤＵに通信し、ＤＵは所望のリソース割当てで返答する。ＣＵは最後に、所望のリソース割当てを収集し、全ての関与するＤＵに対する割り当てられたリソースを含む、リソース割当ての完全なマップをまとめる。この情報は、更にリソース調整を反復するために情報を考慮に入れる、隣接基地局にシグナリングされる。
【０１３７】
本明細書における特徴の別の利点は、ネットワークノードのＣＵが、異なるＲＡＴを適用しているネットワークノード間でリソース割当て情報を交換するだけでなく、同じまたは隣接するリソースを使用してネットワークノード間の潜在的な干渉を回避する、リソース分割などの特定の動作も実施してもよいことである。
【０１３８】
図面中のプロセスは、本発明の特定の実施形態によって実施される動作の特定の順序を示すことがあるが、かかる順序は例示である（例えば、代替実施形態は、異なる順序で動作を実施したり、特定の動作を組み合わせたり、特定の動作が重なったりなどしてもよい）ことが理解されるべきである。
【０１３９】
本発明についていくつかの実施形態に関して記載してきたが、当業者であれば、本発明は記載される実施形態に限定されず、添付の特許請求の範囲の趣旨および範囲内で、修正および変更を伴って実施できることを認識するであろう。したがって、本明細書は、限定ではなく例示と見なされるべきである。
【図１】
2021510989.tif 000009
【図２】
2021510989.tif 000010
【図３】
2021510989.tif 000011
【図４】
2021510989.tif 000012
【図５】
2021510989.tif 000013
【図６】
2021510989.tif 000014
【図７】
2021510989.tif 000015
【図８】
2021510989.tif 000016
【図９】
2021510989.tif 000017
【図１０】
2021510989.tif 000018
【図１１】
2021510989.tif 000019
【図１２】
2021510989.tif 000020
【図１３】
2021510989.tif 000021
【図１４】
2021510989.tif 000022
【図１５】
2021510989.tif 000023
【図１６】
2021510989.tif 000024
【国際調査報告】
2021510989.tif 000025
2021510989.tif 000026
2021510989.tif 000027